(57)【要約】【課題】使用環境に応じた設定を自動的に行うことのできる設定システムを実現する。【解決手段】本設定システムは、通信可能な複合機１０ａ〜１０ｄ、設定情報提供サーバ２０、及び電話帳サーバ３０を含んでいる。各複合機１０ａ〜１０ｄは、ユーザから自身の自動設定が指示されると、自身の電話番号を設定情報提供サーバ装置２０に送信する。設定情報提供サーバ装置２０は、受信した電話番号を用いて電話帳サーバ３０に問い合わせ、各複合機の所属情報を取得する。その後、設定情報提供サーバ装置２０は、取得した所属情報の中に含まれる特定のキーワードを検出することにより、各複合機の使用環境を特定する。続いて、設定情報提供サーバ装置２０は、使用環境に対応する設定情報を特定し、各複合機１０ａ〜１０ｄに返信する。そして、各複合機１０ａ〜１０ｄは、返信された設定情報に基づいて自身の設定を行う。【選択図】図１
2007219953.tif 000002
【特許請求の範囲】
【請求項１】
通信端末装置に対して当該通信端末装置の設定を行うための設定情報を提供する設定情報提供サーバ装置であって、
他の装置との間で通信を行うための通信ユニットと、
通信端末装置の使用環境を示す使用環境情報と上記設定情報とを対応付けた組を複数格納する設定情報記憶部と、
上記通信ユニットを介して通信端末装置から当該通信端末装置の識別情報を受信し、受信した識別情報に基づいて、当該識別情報の送信元となった通信端末装置の使用環境を特定する使用環境特定部と、
上記設定情報記憶部に格納された設定情報の中から、上記使用環境特定部によって特定された使用環境に対応する設定情報を特定し、特定した設定情報を上記通信ユニットを介して通信端末装置に返信する設定情報特定部とを備えていることを特徴とする設定情報提供サーバ装置。
【請求項２】
通信端末装置の識別情報と、当該通信端末装置の設定情報とを対応付けて格納する引継ぎ用設定情報記憶部と、
上記通信ユニットが通信端末装置から通信端末装置の識別情報とともに通信端末装置の設定の引継ぎを指定する引継ぎ指定情報を受信すると、受信した識別情報に対応する設定情報を、上記引継ぎ用設定情報記憶部に格納される設定情報の中から特定するとともに、特定した設定情報を上記通信ユニットを介して上記通信端末装置に返信する引継ぎ用設定情報特定部とをさらに備え、
上記設定情報特定部は、特定した設定情報と上記使用環境特定部が受信した識別情報とを対応付けて上記引継ぎ用設定情報記憶部に格納することを特徴とする請求項１に記載の設定情報提供サーバ装置。
【請求項３】
上記使用環境特定部は、通信端末装置の識別情報と通信端末装置の所属との対応関係を把握している端末所属情報提供サーバ装置に対して上記通信ユニットを介して識別情報を送信して問い合わせることにより、識別情報の送信元となった通信端末装置の所属情報を取得するとともに、取得した所属情報に基づいて使用環境を特定することを特徴とする請求項１に記載の設定情報提供サーバ装置。
【請求項４】
上記使用環境特定部は、特定の文字列と使用環境を示す使用環境情報との組が含まれるキーワードリストを有しており、上記端末所属情報提供サーバ装置から文字情報として取得した所属情報の中から上記キーワードリストに含まれる特定の文字列を検出するとともに、上記キーワードリストにおいて上記検出した文字列に対応する使用環境情報に基づいて通信端末装置の使用環境を特定することを特徴とする請求項３に記載の設定情報提供サーバ装置。
【請求項５】
通信端末装置の識別情報と通信端末装置の使用環境を示す使用環境情報とを対応付けて格納する端末環境情報記憶部をさらに備え、
上記設定情報提供サーバ装置の使用環境特定部は、上記端末環境情報記憶部に格納された使用環境情報の中から、通信端末装置から受信した識別情報に対応する使用環境情報を検索することにより、通信端末装置の使用環境を特定することを特徴とする請求項１に記載の設定情報提供サーバ装置。
【請求項６】
上記設定情報が、通信端末装置のメニュー画面の構成を規定する情報であることを特徴とする請求項１に記載の設定情報提供サーバ装置。
【請求項７】
上記設定情報は、通信端末装置のメニュー画面の構成をＨｙｐｅｒ  Ｔｅｘｔ  Ｍａｒｋ−ｕｐ  Ｌａｎｇｕａｇｅで記述したメニューデータであることを特徴とする請求項６に記載の設定情報提供サーバ装置。
【請求項８】
通信端末装置であって、
他の装置との間で通信を行うための通信ユニットと、
自身の通信端末装置の識別情報を上記通信ユニットを介して設定情報提供サーバ装置に送信する識別情報送信部と、
上記設定情報提供サーバ装置から上記通信ユニットを介して自身の通信端末装置の設定を行うための設定情報を受信し、受信した設定情報に基づいて自身の通信端末装置の設定を行う設定部とを備え、
上記設定情報提供サーバ装置は、通信端末装置から受信した識別情報に基づいて当該通信端末装置の使用環境を特定するとともに、特定した使用環境に対応する設定情報を上記通信端末装置に返信するものであることを特徴とする通信端末装置。
【請求項９】
通信端末装置の設定の引継ぎを指示する引継ぎ指示情報が入力されると、上記記憶部に格納された識別情報、及び通信端末装置の設定の引継ぎを指定する引継ぎ指定情報を、上記通信部を介して上記設定情報提供サーバ装置へ送信する引継ぎ指示部をさらに備え、
上記設定情報提供サーバ装置は、識別情報に基づいて特定した設定情報を当該識別情報と対応付けて格納するとともに、通信端末装置から識別情報とともに引継ぎ指定情報を受信すると、受信した識別情報に対応する設定情報を通信端末装置に返信するものであることを特徴とする請求項８に記載の通信端末装置。
【請求項１０】
上記設定情報が、通信端末装置のメニュー画面の構成を規定する情報であり、
上記通信端末装置の設定部は、自身の通信端末装置のメニュー画面の構成を、上記設定情報提供サーバ装置から受信した設定情報に基づいて変更することを特徴とする請求項８に記載の通信端末装置。
【請求項１１】
上記設定情報は、通信端末装置のメニュー画面の構成をＨｙｐｅｒ  Ｔｅｘｔ  Ｍａｒｋ−ｕｐ  Ｌａｎｇｕａｇｅで記述したメニューデータであり、
メニュー画面の構成がＨｙｐｅｒ  Ｔｅｘｔ  Ｍａｒｋ−ｕｐ  Ｌａｎｇｕａｇｅで記述されたメニューデータを格納するメニューデータ記憶部と、
上記メニューデータ記憶部に格納されたメニューデータに基づく画像をメニュー画面として表示装置に表示させるブラウザ部とをさらに備え、
上記設定部は、上記設定情報提供サーバ装置から受信したメニューデータを上記メニューデータ記憶部に格納することを特徴とする請求項１０に記載の通信端末装置。
【請求項１２】
通信端末装置と、通信端末装置の設定を行うための設定情報を通信端末装置に対して提供する設定情報提供サーバ装置とを含む通信端末装置の設定システムであって、
上記設定情報提供サーバ装置は、
他の装置との間で通信を行うための通信ユニットと
通信端末装置の使用環境を示す使用環境情報と上記設定情報とを対応付けた組を複数格納する設定情報記憶部と、
自身の通信ユニットを介して通信端末装置から当該通信端末装置の識別情報を受信し、受信した識別情報に基づいて、当該識別情報の送信元となった通信端末装置の使用環境を特定する使用環境特定部と、
上記設定情報記憶部に格納された設定情報の中から、上記使用環境特定部によって特定された使用環境に対応する設定情報を特定し、特定した設定情報を自身の通信ユニットを介して上記通信端末装置に返信する設定情報特定部とを備え、
上記通信端末装置は、
他の装置との間で通信を行うための通信ユニットと、
自身の通信端末装置の識別情報を自身の通信ユニットを介して設定情報提供サーバ装置に送信する識別情報送信部と、
上記設定情報提供サーバ装置から自身の通信ユニットを介して設定情報を受信し、受信した設定情報に基づいて自身の通信端末装置の設定を行う設定部とを備えていることを特徴とする通信端末装置の設定システム。
【請求項１３】
上記設定情報提供サーバ装置の使用環境特定部は、特定の文字列と使用環境を示す使用環境情報との組が含まれるキーワードリストを有しており、通信端末装置の識別情報と通信端末装置の所属との対応関係を把握している端末所属情報提供サーバ装置に対して上記通信ユニットを介して識別情報を送信して問い合わせることにより、識別情報の送信元となった通信端末装置の所属情報を取得し、取得した所属情報の中から上記キーワードリストに含まれる特定の文字列を検出するとともに、上記キーワードリストにおいて上記検出した文字列に対応する使用環境情報に基づいて通信端末装置の使用環境を特定することを特徴とする請求項１２に記載の通信端末装置の設定システム。
【請求項１４】
上記設定情報提供サーバ装置との間で通信を行うための通信ユニットと、
通信端末装置の識別情報と通信端末装置の所属を示す所属情報とを対応付けて格納する端末所属情報記憶部と、
上記設定情報提供サーバ装置から自身の通信ユニットを介して識別情報を受信し、受信した識別情報に対応する所属情報を、上記端末所属情報記憶部に格納された所属情報の中から検索し、検索した所属情報を上記設定情報提供サーバ装置に返信する端末所属情報検索部とを備えた端末所属情報提供サーバ装置をさらに含み、
上記設定情報提供サーバ装置の使用環境特定部は、自身の通信ユニットを介して上記端末所属情報提供サーバ装置へ識別情報を送信するとともに、返信された所属情報に基づいて通信端末装置の使用環境を特定することを特徴とする請求項１２に記載の通信端末装置の設定システム。
【請求項１５】
上記設定情報提供サーバ装置の使用環境特定部は、特定の文字列と使用環境を示す使用環境情報との組が含まれるキーワードリストを有しており、上記端末所属情報提供サーバ装置から文字情報として取得した所属情報の中から上記キーワードリストに含まれる特定の文字列を検出するとともに、上記キーワードリストにおいて上記検出した文字列に対応する使用環境情報に基づいて通信端末装置の使用環境を特定することを特徴とする請求項１４に記載の通信端末装置の設定システム。
【請求項１６】
上記設定情報提供サーバ装置は、
通信端末装置の識別情報と通信端末装置の使用環境を示す使用環境情報とを対応付けて格納する端末環境情報記憶部をさらに備え、
上記設定情報提供サーバ装置の使用環境特定部は、上記端末環境情報記憶部に格納された使用環境情報の中から、通信端末装置から受信した識別情報に対応する使用環境情報を検索することにより、通信端末装置の使用環境を特定することを特徴とする請求項１２に記載の通信端末装置の設定システム。
【請求項１７】
上記設定情報提供サーバ装置に対して、当該設定情報提供サーバ装置の端末環境情報記憶部に格納される通信端末装置の識別情報と使用環境情報との組を送信する端末環境情報設定装置をさらに含んでいることを特徴とする請求項１６に記載の通信端末装置の設定システム。
【請求項１８】
電話番号が設定され、通話機能、ファクシミリ機能の少なくとも一方を有する通信端末装置と、通信端末装置の設定を行うための設定情報を提供する設定情報提供サーバ装置とを含む通信端末装置の設定システムであって、
上記設定情報提供サーバ装置は、
他の装置との間で通信を行うための通信ユニットと、
通信端末装置の使用環境を示す使用環境情報と上記設定情報とを対応付けた組を複数格納する設定情報記憶部と、
自身の通信ユニットを介して通信端末装置から当該通信端末装置の電話番号を受信し、受信した電話番号に基づいて通信端末装置の使用環境を特定する使用環境特定部と、
上記設定情報記憶部に格納される設定情報の中から、上記使用環境特定部によって特定された使用環境に対応する設定情報を特定し、特定した設定情報を上記通信ユニットを介して上記通信端末装置に返信する設定情報特定部とを備え、
上記通信端末装置は、
他の装置との間で通信を行うための通信ユニットと、
自身の通信ユニットを介して自身の通信端末装置に設定された電話番号を上記設定情報提供サーバ装置に送信する識別情報送信部と、
上記通信ユニットを介して上記設定情報提供サーバ装置から設定情報を受信し、受信した設定情報に基づいて自身の通信端末装置の設定を行う設定部とを備えていることを特徴とする通信端末装置の設定システム。
【請求項１９】
上記設定情報提供サーバ装置の使用環境特定部は、特定の文字列と使用環境を示す使用環境情報との組が含まれるキーワードリストを有しており、通信端末装置の電話番号と通信端末装置の所属との対応関係を把握している電話帳サーバ装置に対して上記通信ユニットを介して電話番号を送信して問い合わせることにより、電話番号の送信元となった通信端末装置の所属情報を取得し、取得した所属情報の中から上記キーワードリストに含まれる特定の文字列を検出するとともに、上記キーワードリストにおいて上記検出した文字列に対応する使用環境情報に基づいて通信端末装置の使用環境を特定することを特徴とする請求項１８に記載の通信端末装置の設定システム。
【請求項２０】
通信端末装置と当該通信端末装置に対して当該通信端末装置の設定を行うための設定情報を提供する設定情報提供サーバ装置とによって、通信端末装置に対して設定を行うための設定方法であって、
上記通信端末装置が上記設定情報提供サーバ装置に対して識別情報を送信する識別情報送信ステップと、
上記設定情報提供サーバ装置が、上記識別情報送信ステップにおいて送信された識別情報を受信する識別情報受信ステップと、
上記設定情報提供サーバ装置が、上記識別情報受信ステップにおいて受信した識別情報に基づいて上記通信端末装置の使用環境を特定する使用環境特定ステップと、
上記設定情報提供サーバ装置が、通信端末装置の使用環境を示す使用環境情報に対応付けて記憶部に格納された設定情報の中から、上記使用環境特定ステップにおいて特定した使用環境に対応する設定情報を特定する設定情報特定ステップと、
上記設定情報提供サーバ装置が、上記設定情報特定ステップにおいて特定された設定情報を上記通信端末装置に対して返信する設定情報送信ステップと、
上記通信端末装置が、上記設定情報送信ステップにおいて送信された設定情報を受信する設定情報受信ステップと、
上記通信端末装置が、上記設定情報受信ステップにおいて受信した設定情報に基づいて自身の通信端末装置の設定を行う設定ステップとを含んでいることを特徴とする設定方法。
【請求項２１】
通信端末装置に対して当該通信端末装置の設定を行うために用いられる使用環境情報を提供する環境情報提供サーバ装置であって、
他の装置との間で通信を行うための通信ユニットと、
上記通信ユニットを介して通信端末装置から当該通信端末装置の識別情報を受信し、受信した識別情報に基づいて、当該識別情報の送信元となった通信端末装置の使用環境を特定し、特定した使用環境を示す使用環境情報を上記通信ユニットを介して上記通信端末装置に返信する使用環境特定部とを備えていることを特徴とする環境情報提供サーバ装置。
【請求項２２】
通信端末装置であって、
他の装置との間で通信を行うための通信ユニットと、
通信端末装置の使用環境を示す使用環境情報と通信端末装置の設定を行うための設定情報とを対応付けた組を複数格納する設定情報記憶部と、
自身の通信端末装置の識別情報を上記通信ユニットを介して環境情報提供サーバ装置に送信する識別情報送信部と、
上記環境情報提供サーバ装置から上記通信ユニットを介して自身の通信端末装置の使用環境を示す使用環境情報を受信し、上記設定情報記憶部に格納された設定情報の中から、受信した使用環境に対応する設定情報を特定する設定情報特定部と、
上記設定情報特定部によって特定された設定情報に基づいて自身の通信端末装置の設定を行う設定部とを備え、
上記環境情報提供サーバ装置は、通信端末装置から受信した識別情報に基づいて当該通信端末装置の使用環境を特定して返信するものであることを特徴とする通信端末装置。
【請求項２３】
通信端末装置と、通信端末装置の設定を行うために用いられる使用環境情報を通信端末装置に対して提供する環境情報提供サーバ装置とを含む通信端末装置の設定システムであって、
上記設定情報提供サーバ装置は、
他の装置との間で通信を行うための通信ユニットと、
上記通信ユニットを介して通信端末装置から当該通信端末装置の識別情報を受信し、受信した識別情報に基づいて、当該識別情報の送信元となった通信端末装置の使用環境を特定し、特定した使用環境を示す使用環境情報を上記通信ユニットを介して上記通信端末装置に返信する使用環境特定部とを備え、
上記通信端末装置は、
他の装置との間で通信を行うための通信ユニットと、
通信端末装置の使用環境を示す使用環境情報と通信端末装置の設定を行うための設定情報とを対応付けた組を複数格納する設定情報記憶部と、
自身の通信端末装置の識別情報を上記通信ユニットを介して設定情報提供サーバ装置に送信する識別情報送信部と、
上記設定情報提供サーバ装置から上記通信ユニットを介して自身の通信端末装置の使用環境を示す使用環境情報を受信し、上記設定情報記憶部に格納された設定情報の中から、受信した使用環境に対応する設定情報を特定する設定情報特定部と、
上記設定情報特定部によって特定された設定情報に基づいて自身の通信端末装置の設定を行う設定部とを備えていることを特徴とする通信端末装置の設定システム。
【請求項２４】
通信端末装置と当該通信端末装置に対して当該通信端末装置の設定を行うための環境情報を提供する環境情報提供サーバ装置とによって、通信端末装置に対して設定を行うための設定方法であって、
上記通信端末装置が上記環境情報提供サーバ装置に対して識別情報を送信する識別情報送信ステップと、
上記環境情報提供サーバ装置が、上記識別情報送信ステップにおいて送信された識別情報を受信する識別情報受信ステップと、
上記環境情報提供サーバ装置が、上記識別情報受信ステップにおいて受信した識別情報に基づいて上記通信端末装置の使用環境を特定する使用環境特定ステップと、
上記環境情報提供サーバ装置が、上記使用環境特定ステップにおいて特定された使用環境を示す使用環境情報を上記通信端末装置に対して返信する使用環境情報送信ステップと、
上記通信端末装置が、上記使用環境情報送信ステップにおいて送信された使用環境情報を受信する設定情報受信ステップと、
上記通信端末装置が、通信端末装置の使用環境を示す使用環境情報に対応付けて記憶部に格納された設定情報の中から、上記設定情報受信ステップにおいて受信した使用環境情報に対応する設定情報を特定する設定情報特定ステップと、
上記通信端末装置が、上記設定情報受信ステップにおいて特定した設定情報に基づいて自身の通信端末装置の設定を行う設定ステップとを含んでいることを特徴とする設定方法。
【請求項２５】
通信端末装置であって、
他の装置との間で通信を行うための通信ユニットと、
通信端末装置の使用環境を示す使用環境情報と通信端末装置の設定を行うための設定情報とを対応付けた組を複数格納する設定情報記憶部と、
通信端末装置の識別情報と通信端末装置の所属との対応関係を把握している端末所属情報提供サーバ装置に対して、自身の通信端末装置の識別情報を上記通信ユニットを介して送信して問い合わせる識別情報送信部と、
上記端末所属情報提供サーバ装置から返信された、自身の通信端末装置の所属を示す所属情報を上記通信ユニットを介して受信するとともに、受信した所属情報に基づいて、自身の通信端末装置の使用環境を特定する使用環境特定部と、
上記設定情報記憶部に格納された設定情報の中から、上記使用環境特定部によって特定された使用環境に対応する設定情報を特定する設定情報特定部と、
上記設定情報特定部によって特定された設定情報に基づいて自身の通信端末装置の設定を行う設定部とを備えていることを特徴とする通信端末装置。
【請求項２６】
通信端末装置に対して設定を行うための設定方法であって、
上記通信端末装置が、通信端末装置の識別情報と通信端末装置の所属との対応関係を把握している端末所属情報提供サーバ装置に対して識別情報を送信する識別情報送信ステップと、
上記端末所属情報提供サーバ装置が、上記識別情報送信ステップにおいて送信された識別情報を受信する識別情報受信ステップと、
上記端末所属情報提供サーバ装置が、上記識別情報受信ステップにおいて受信した識別情報に対応する、通信端末装置の所属を示す所属情報を特定する所属情報特定ステップと、
上記端末所属情報提供サーバ装置が、上記所属情報特定ステップにおいて特定した所属情報を上記通信端末装置に返信する所属情報送信ステップと、
上記通信端末装置が、上記所属情報送信ステップにおいて返信された所属情報を受信する所属情報受信ステップと、
上記通信端末装置が、上記所属情報受信ステップにおいて受信した所属情報に基づいて、自身の通信端末装置の使用環境を特定する使用環境特定ステップと、
上記通信端末装置が、通信端末装置の使用環境を示す使用環境情報に対応付けて記憶部に格納された設定情報の中から、上記使用環境特定ステップにおいて特定した使用環境に対応する設定情報を特定する設定情報特定ステップと、
上記通信端末装置が、上記設定情報特定ステップにおいて特定した設定情報に基づいて自身の通信端末装置の設定を行う設定ステップとを含んでいることを特徴とする設定方法。
【請求項２７】
請求項１に記載の設定情報提供サーバ装置を動作させるためのプログラムであって、コンピュータを上記各部として機能させるためのプログラム。
【請求項２８】
請求項２１に記載の環境情報提供サーバ装置を動作させるためのプログラムであって、コンピュータを上記各部として機能させるためのプログラム。
【請求項２９】
請求項８、２２、又は２５に記載の通信端末装置を動作させるためのプログラムであって、コンピュータを上記各部として機能させるためのプログラム。
【請求項３０】
請求項２７から２９の何れか１項に記載のプログラムが記録されたコンピュータ読み取り可能な記録媒体。
【発明の詳細な説明】
【技術分野】
【０００１】
本発明は、通信可能な通信端末装置と、通信によりこの装置に対して設定情報を提供する設定情報提供サーバ装置とを含む通信端末装置の設定システムに関するものである。また、本発明は、上記設定システムにおいて用いられる設定方法に関するものでもある。
【背景技術】
【０００２】
近年、ファクシミリ機能を有する複合機は多機能化している。これらの複合機には、多種多様な機能を使用環境に合わせて最適に利用できるように、様々な設定項目が設けられている。
【０００３】
例えば、図書館などにおいては、複合機の動作音が騒音となって周囲の人々に迷惑をかけないように、複合機をなるべく静音で動作させるための設定項目が設けられている。具体的には、印刷速度を低下させたり、スタンバイモードに入るまでの時間を短くしたりするための設定項目などである。
【０００４】
一方、コンビニエンスストアでは、利用者がいつでもすぐに利用できることが重要であるので、上記の図書館の場合とは逆に、短い時間でスタンバイモードに入らないことが望まれる。従って、スタンバイモードに入らないようにする、あるいはスタンバイモードに入るまでの時間を長くするための設定項目なども複合機には設けられている。
【０００５】
このように、近年の複合機は、上記の設定項目を使用環境に応じて適切に設定することにより、様々な使用環境に適応させることができるようになっている。
【特許文献１】特開２００２−２７１２０号公報（2002年1月25日公開）
【発明の開示】
【発明が解決しようとする課題】
【０００６】
しかしながら、従来の複合機は、使用環境に合わせた設定を行うのが困難であるという問題を抱えている。
【０００７】
周知のように、近年の複合機は、多機能化に伴って設定項目も多種多様にわたっている。従って、ユーザが使用環境に適した設定を行おうとしても、目的の設定項目にたどり着けないことがある。
【０００８】
また、細かい設定ができる機種などでは、ユーザが設定項目の全ての意味を理解できていないことも多い。特にコンピュータをよく知らないユーザにとって、設定項目に記載された用語を完全に理解することは困難であり、多大な負担を感じることになる。
【０００９】
以上のように、複合機を適切に設定するためには煩雑な操作を要し、ユーザに多大な負担をかけているのが現状であり、それゆえ、使用環境に応じた様々な設定項目が設けられていても、複合機がその使用環境に合わせた適切な設定となっていない場合も多い。
【００１０】
なお、特許文献１には、端末機器（ターミナルアダプタ）の設置に伴い、端末機器が自身の製造番号及び電話番号をサービスセンタに対して送信し、サービスセンタがその端末機器の電話番号に従って加入者の所在情報を取得してユーザ登録を行う端末機器管理システムについて開示されているが、端末機器の設定を自動的に行うための構成については開示されていない。
【００１１】
本発明は上記課題を鑑みてなされたものであり、その目的は、使用環境に応じた設定を自動的に行うことのできる通信端末装置及びこの通信端末装置に設定情報を提供する設定情報提供サーバ装置、そしてこれらの装置を含む通信端末装置の設定システム、並びに設定方法を実現することにある。
【課題を解決するための手段】
【００１２】
上記課題を解決するために、本発明に係る設定情報提供サーバ装置は、通信端末装置に対して当該通信端末装置の設定を行うための設定情報を提供する設定情報提供サーバ装置であって、他の装置との間で通信を行うための通信ユニットと、通信端末装置の使用環境を示す使用環境情報と上記設定情報とを対応付けた組を複数格納する設定情報記憶部と、上記通信ユニットを介して通信端末装置から当該通信端末装置の識別情報を受信し、受信した識別情報に基づいて、当該識別情報の送信元となった通信端末装置の使用環境を特定する使用環境特定部と、上記設定情報記憶部に格納された設定情報の中から、上記使用環境特定部によって特定された使用環境に対応する設定情報を特定し、特定した設定情報を上記通信ユニットを介して通信端末装置に返信する設定情報特定部とを備えていることを特徴とする。
【００１３】
上記構成によれば、まず、使用環境特定部によって、通信端末装置の使用環境（例えば、図書館あるいはコンビニエンスストアなど）が、通信端末装置の識別情報（例えば電話番号・ＩＰアドレスなど）に基づいて特定される。そして、設定情報特定部により、使用環境に対応する設定情報が、予め設定情報記憶部の中に格納された複数の設定情報の中から特定され、通信端末装置へ返信される。そして、この返信された設定情報に基づいて、通信端末装置が自身の設定を自動的に行うことができる。
【００１４】
つまり、本発明では、設定情報提供サーバが、通信端末装置の使用環境を示す使用環境情報と上記設定情報とを対応付けて複数格納する設定情報記憶部を備えており、これを利用することにより通信端末装置の使用環境に適応した設定情報を通信端末装置に通知する構成となっている。従って、通信端末装置の使用環境に応じた設定を自動的に行うことが可能になる。
【００１５】
また、上記設定情報提供サーバ装置は、通信端末装置の識別情報と、当該通信端末装置の設定情報とを対応付けて格納する引継ぎ用設定情報記憶部と、上記通信ユニットが通信端末装置から通信端末装置の識別情報とともに通信端末装置の設定の引継ぎを指定する引継ぎ指定情報を受信すると、受信した識別情報に対応する設定情報を、上記引継ぎ用設定情報記憶部に格納される設定情報の中から特定するとともに、特定した設定情報を上記通信ユニットを介して上記通信端末装置に返信する引継ぎ用設定情報特定部とをさらに備え、上記設定情報特定部は、特定した設定情報と上記使用環境特定部が受信した識別情報とを対応付けて上記引継ぎ用設定情報記憶部に格納することが好ましい。
【００１６】
上記構成によれば、特定された通信端末装置の設定情報が、設定情報特定部により、通信端末装置の識別情報と対応付けて引継ぎ用設定情報記憶部に格納される。そして、通信端末装置から設定の引継ぎが指定されると、引継ぎ用設定情報特定部により、その通信端末装置の識別情報に基づいて設定情報が特定され、返信される。従って、通信端末装置が新しいものにリプレースされた場合や、通信端末装置の設定が初期化された場合であっても、以前の設定を自動的に復元することができるようになる。
【００１７】
上記使用環境特定部は、通信端末装置の識別情報と通信端末装置の所属との対応関係を把握している端末所属情報提供サーバ装置に対して上記通信ユニットを介して識別情報を送信して問い合わせることにより、識別情報の送信元となった通信端末装置の所属情報を取得するとともに、取得した所属情報に基づいて使用環境を特定してもよい。
【００１８】
上記構成によれば、使用環境特定部は、外部の端末所属情報提供サーバ装置（例えば、電話番号データベースを有している公開サーバなど）に問い合わせることにより、まず、通信端末装置の所属情報（例えば、社名・店名・学校名など）を取得する。そして、取得した所属情報を調査することにより、通信端末装置の使用環境を特定する。このようにすることで、通信端末装置の識別情報からその使用環境を特定することができる。この場合、使用環境の特定に要する処理の一部を外部のサーバに委託するので、設定情報提供サーバ装置の構成を簡略化することができる。
【００１９】
なお、上記使用環境特定部は、特定の文字列（例えば、「マート」・「図書館」・「校」など）と使用環境を示す使用環境情報（例えば、「コンビニ」・「図書館」・「学校」など）との組が含まれるキーワードリストを有しており、上記端末所属情報提供サーバ装置から文字情報として取得した所属情報の中から上記キーワードリストに含まれる特定の文字列を検出するとともに、上記キーワードリストにおいて上記検出した文字列に対応する使用環境情報に基づいて通信端末装置の使用環境を特定することができる。
【００２０】
あるいは、上記設定情報提供サーバ装置は、通信端末装置の識別情報と通信端末装置の使用環境を示す使用環境情報とを対応付けて格納する端末環境情報記憶部をさらに備え、上記設定情報提供サーバ装置の使用環境特定部は、上記端末環境情報記憶部に格納された使用環境情報の中から、通信端末装置から受信した識別情報に対応する使用環境情報を検索することにより、通信端末装置の使用環境を特定するものであってもよい。
【００２１】
上記構成のように、通信端末装置の識別情報と通信端末装置の使用環境を示す使用環境情報とを対応付けて格納した端末環境情報記憶部を利用することにより、識別情報を送信した通信端末装置の使用環境を特定することもできる。この場合、自身のサーバ内で使用環境の特定を行うことにより、迅速な特定が可能になる。
【００２２】
また、上記設定情報が、通信端末装置のメニュー画面の構成を規定する情報であってもよい。上記構成によれば、通信端末装置のメニュー画面の構成を自動的に変更することができるようになる。一例として、メニュー画面を階層構造にし、各使用環境においてよく用いられる設定項目を上位の画面に移動させることなどが挙げられる。
【００２３】
またこの場合、設定情報提供サーバ装置が通信端末装置に対して返信する設定情報は、通信端末装置のメニュー画面の構成をＨｙｐｅｒ  Ｔｅｘｔ  Ｍａｒｋ−ｕｐ  Ｌａｎｇｕａｇｅで記述したメニューデータであることが好ましい。
【００２４】
上記構成によれば、設定情報提供サーバ装置が、通信端末装置の使用環境に対応する設定情報として、メニュー画面の構成を規定するメニューデータそのものを返信するので、通信端末装置のメニュー画面の変更を容易に、かつ自由自在に行うことができるようになる。また、メニューデータの記述にＨＴＭＬを用いることにより、階層構造を有するメニュー画面を容易に作成できるようになるという効果もある。
【００２５】
また、上記課題を解決するために、本発明に係る通信端末装置は、他の装置との間で通信を行うための通信ユニットと、自身の通信端末装置の識別情報を上記通信ユニットを介して設定情報提供サーバ装置に送信する識別情報送信部と、上記設定情報提供サーバ装置から上記通信ユニットを介して自身の通信端末装置の設定を行うための設定情報を受信し、受信した設定情報に基づいて自身の通信端末装置の設定を行う設定部とを備え、上記設定情報提供サーバ装置は、通信端末装置から受信した識別情報に基づいて当該通信端末装置の使用環境を特定するとともに、特定した使用環境に対応する設定情報を上記通信端末装置に返信するものであることを特徴とする。
【００２６】
上記構成によれば、識別情報送信部により、通信端末装置の識別情報が設定情報提供サーバに送信される。次に、設定情報提供サーバにより、通信端末装置の使用環境が特定され、特定された使用環境に対応する設定情報が返信される。そして、この返信された設定情報に基づいて、通信端末装置の設定が設定部により行われる。このようにすることで、通信端末装置の使用環境に応じた設定を自動的に行うことが可能になる。
【００２７】
また、上記通信端末装置は、通信端末装置の設定の引継ぎを指示する引継ぎ指示情報が入力されると、上記記憶部に格納された識別情報、及び通信端末装置の設定の引継ぎを指定する引継ぎ指定情報を、上記通信部を介して上記設定情報提供サーバ装置へ送信する引継ぎ指示部をさらに備え、上記設定情報提供サーバ装置は、識別情報に基づいて特定した設定情報を当該識別情報と対応付けて格納するとともに、通信端末装置から識別情報とともに引継ぎ指定情報を受信すると、受信した識別情報に対応する設定情報を通信端末装置に返信するものであることが好ましい。
【００２８】
上記構成によれば、通信端末装置が新しいものにリプレースされた場合や、通信端末装置の設定が初期化された場合であっても、以前の設定を自動的に復元することができるようになる。
【００２９】
また、上記設定情報が、通信端末装置のメニュー画面の構成を規定する情報であり、上記通信端末装置の設定部は、自身の通信端末装置のメニュー画面の構成を、上記設定情報提供サーバ装置から受信した設定情報に基づいて変更することが好ましい。上記構成によれば、メニュー画面の構成を自動的に変更することができる。
【００３０】
また、上記設定情報は、通信端末装置のメニュー画面の構成をＨｙｐｅｒ  Ｔｅｘｔ  Ｍａｒｋ−ｕｐ  Ｌａｎｇｕａｇｅで記述したメニューデータであり、上記通信端末装置は、メニュー画面の構成がＨｙｐｅｒ  Ｔｅｘｔ  Ｍａｒｋ−ｕｐ  Ｌａｎｇｕａｇｅで記述されたメニューデータを格納するメニューデータ記憶部と、上記メニューデータ記憶部に格納されたメニューデータに基づく画像をメニュー画面として表示装置に表示させるブラウザ部とをさらに備え、上記設定部は、上記設定情報提供サーバ装置から受信したメニューデータを上記メニューデータ記憶部に格納することが好ましい。
【００３１】
上記構成によれば、設定情報提供サーバ装置から受信する設定情報が、メニュー画面の構成を規定するメニューデータそのものとなるので、通信端末装置のメニュー画面の変更を容易に、かつ自由自在に行うことができるようになる。また、メニューデータの記述にＨＴＭＬを用い、ブラウザ部によって、メニューデータに対応するメニュー画面を表示させることにより、階層構造を有するメニュー画面を容易に作成できるようになるという効果もある。
【００３２】
また、本発明に係る通信端末装置の設定システムは、上述した何れかの設定情報提供サーバ装置と通信端末装置とを含んでいることを特徴とする。
【００３３】
なお、上記通信端末装置の設定システムは、上記設定情報提供サーバ装置との間で通信を行うための通信ユニットと、通信端末装置の識別情報と通信端末装置の所属を示す所属情報とを対応付けて格納する端末所属情報記憶部と、上記設定情報提供サーバ装置から自身の通信ユニットを介して識別情報を受信し、受信した識別情報に対応する所属情報を、上記端末所属情報記憶部に格納された所属情報の中から検索し、検索した所属情報を上記設定情報提供サーバ装置に返信する端末所属情報検索部とを備えた端末所属情報提供サーバ装置をさらに含んでいてもよい。
【００３４】
また、上記通信端末装置の設定システムは、上記設定情報提供サーバ装置に対して、当該設定情報提供サーバ装置の端末環境情報記憶部に格納される通信端末装置の識別情報と使用環境情報との組を送信する端末環境情報設定装置をさらに含んでいてもよい。
【００３５】
上記構成によれば、端末環境情報設定装置を用いて、設定情報提供サーバ装置の端末環境情報記憶部に、通信端末装置の識別情報と使用環境情報との組を予め登録しておくことにより、通信端末装置の自動設定を確実に行うことができるようになる。一例を挙げると、ある会社の複数の支店に設置される通信端末装置について、各通信端末装置の識別情報を同一の使用環境情報に対応付けて登録しておけば、その会社の様々な支店に設置される通信端末装置の設定を、確実に統一することができるようになる。
【００３６】
また、本発明に係る通信端末装置の設定システムは、より具体的には、電話番号が設定され、通話機能、ファクシミリ機能の少なくとも一方を有する通信端末装置と、通信端末装置の設定を行うための設定情報を提供する設定情報提供サーバ装置とを含む通信端末装置の設定システムであって、上記設定情報提供サーバ装置は、他の装置との間で通信を行うための通信ユニットと、通信端末装置の使用環境を示す使用環境情報と上記設定情報とを対応付けた組を複数格納する設定情報記憶部と、自身の通信ユニットを介して通信端末装置から当該通信端末装置の電話番号を受信し、受信した電話番号に基づいて通信端末装置の使用環境を特定する使用環境特定部と、上記設定情報記憶部に格納される設定情報の中から、上記使用環境特定部によって特定された使用環境に対応する設定情報を特定し、特定した設定情報を上記通信ユニットを介して上記通信端末装置に返信する設定情報特定部とを備え、上記通信端末装置は、他の装置との間で通信を行うための通信ユニットと、自身の通信ユニットを介して自身の通信端末装置に設定された電話番号を上記設定情報提供サーバ装置に送信する識別情報送信部と、上記通信ユニットを介して上記設定情報提供サーバ装置から設定情報を受信し、受信した設定情報に基づいて自身の通信端末装置の設定を行う設定部とを備えているものである。
【００３７】
上記構成によれば、通話機能やファクシミリ機能を有する通信端末装置の設定を、その端末装置に登録された電話番号を用いて自動的に行うことができるようになる。
【００３８】
そして、上記設定情報提供サーバ装置の使用環境特定部は、特定の文字列と使用環境を示す使用環境情報との組が含まれるキーワードリストを有しており、通信端末装置の電話番号と通信端末装置の所属との対応関係を把握している電話帳サーバ装置に対して上記通信ユニットを介して電話番号を送信して問い合わせることにより、電話番号の送信元となった通信端末装置の所属情報を取得し、取得した所属情報の中から上記キーワードリストに含まれる特定の文字列を検出するとともに、上記キーワードリストにおいて上記検出した文字列に対応する使用環境情報に基づいて通信端末装置の使用環境を特定することができる。
【００３９】
また、上記課題を解決するために、本発明に係る設定方法は、通信端末装置と当該通信端末装置に対して当該通信端末装置の設定を行うための設定情報を提供する設定情報提供サーバ装置とによって、通信端末装置に対して設定を行うための設定方法であって、上記通信端末装置が上記設定情報提供サーバ装置に対して識別情報を送信する識別情報送信ステップと、上記設定情報提供サーバ装置が、上記識別情報送信ステップにおいて送信された識別情報を受信する識別情報受信ステップと、上記設定情報提供サーバ装置が、上記識別情報受信ステップにおいて受信した識別情報に基づいて上記通信端末装置の使用環境を特定する使用環境特定ステップと、上記設定情報提供サーバ装置が、通信端末装置の使用環境を示す使用環境情報に対応付けて記憶部に格納された設定情報の中から、上記使用環境特定ステップにおいて特定した使用環境に対応する設定情報を特定する設定情報特定ステップと、上記設定情報提供サーバ装置が、上記設定情報特定ステップにおいて特定された設定情報を上記通信端末装置に対して返信する設定情報送信ステップと、上記通信端末装置が、上記設定情報送信ステップにおいて送信された設定情報を受信する設定情報受信ステップと、上記通信端末装置が、上記設定情報受信ステップにおいて受信した設定情報に基づいて自身の通信端末装置の設定を行う設定ステップとを含んでいることを特徴とする。
【００４０】
上記構成によれば、上述した設定情報提供サーバ装置・通信端末装置の場合と同様の理由で、通信端末装置の使用環境に応じた設定を自動的に行うことが可能になる。
【００４１】
また、上記課題を解決するために、本発明に係る環境情報提供サーバ装置は、通信端末装置に対して当該通信端末装置の設定を行うために用いられる使用環境情報を提供する環境情報提供サーバ装置であって、他の装置との間で通信を行うための通信ユニットと、上記通信ユニットを介して通信端末装置から当該通信端末装置の識別情報を受信し、受信した識別情報に基づいて、当該識別情報の送信元となった通信端末装置の使用環境を特定し、特定した使用環境を示す使用環境情報を上記通信ユニットを介して上記通信端末装置に返信する使用環境特定部とを備えていることを特徴とする。
【００４２】
上記構成によれば、使用環境特定部により、通信端末装置が自身の設定に必要な環境情報が、通信端末装置の識別情報に基づいて特定され、通信端末装置へ通知される。従って、この環境情報を用いて、通信端末装置は、使用環境に応じた設定を自動的に行うことが可能になる。
【００４３】
また、上記課題を解決するために、本発明に係る別の通信端末装置は、他の装置との間で通信を行うための通信ユニットと、通信端末装置の使用環境を示す使用環境情報と通信端末装置の設定を行うための設定情報とを対応付けた組を複数格納する設定情報記憶部と、自身の通信端末装置の識別情報を上記通信ユニットを介して環境情報提供サーバ装置に送信する識別情報送信部と、上記環境情報提供サーバ装置から上記通信ユニットを介して自身の通信端末装置の使用環境を示す使用環境情報を受信し、上記設定情報記憶部に格納された設定情報の中から、受信した使用環境に対応する設定情報を特定する設定情報特定部と、上記設定情報特定部によって特定された設定情報に基づいて自身の通信端末装置の設定を行う設定部とを備え、上記環境情報提供サーバ装置は、通信端末装置から受信した識別情報に基づいて当該通信端末装置の使用環境を特定して返信するものであることを特徴とする。
【００４４】
この構成でも、通信端末装置の使用環境に応じた設定を自動的に行うことが可能になる。
【００４５】
また、本発明に係る別の通信端末装置の設定システムは、上述した環境情報提供サーバ装置と通信端末装置とを含んでいることを特徴とする。
【００４６】
また、上記課題を解決するために、本発明に係る別の設定方法は、通信端末装置と当該通信端末装置に対して当該通信端末装置の設定を行うための環境情報を提供する環境情報提供サーバ装置とによって、通信端末装置に対して設定を行うための設定方法であって、上記通信端末装置が上記環境情報提供サーバ装置に対して識別情報を送信する識別情報送信ステップと、上記環境情報提供サーバ装置が、上記識別情報送信ステップにおいて送信された識別情報を受信する識別情報受信ステップと、上記環境情報提供サーバ装置が、上記識別情報受信ステップにおいて受信した識別情報に基づいて上記通信端末装置の使用環境を特定する使用環境特定ステップと、上記環境情報提供サーバ装置が、上記使用環境特定ステップにおいて特定された使用環境を示す使用環境情報を上記通信端末装置に対して返信する使用環境情報送信ステップと、上記通信端末装置が、上記使用環境情報送信ステップにおいて送信された使用環境情報を受信する設定情報受信ステップと、上記通信端末装置が、通信端末装置の使用環境を示す使用環境情報に対応付けて記憶部に格納された設定情報の中から、上記設定情報受信ステップにおいて受信した使用環境情報に対応する設定情報を特定する設定情報特定ステップと、上記通信端末装置が、上記設定情報受信ステップにおいて特定した設定情報に基づいて自身の通信端末装置の設定を行う設定ステップとを含んでいることを特徴とする。
【００４７】
この構成でも、通信端末装置の使用環境に応じた設定を自動的に行うことが可能になる。
【００４８】
また、上記課題を解決するために、本発明に係るさらに別の通信端末装置は、他の装置との間で通信を行うための通信ユニットと、通信端末装置の使用環境を示す使用環境情報と通信端末装置の設定を行うための設定情報とを対応付けた組を複数格納する設定情報記憶部と、通信端末装置の識別情報と通信端末装置の所属との対応関係を把握している端末所属情報提供サーバ装置に対して、自身の通信端末装置の識別情報を上記通信ユニットを介して送信して問い合わせる識別情報送信部と、上記端末所属情報提供サーバ装置から返信された、自身の通信端末装置の所属を示す所属情報を上記通信ユニットを介して受信するとともに、受信した所属情報に基づいて、自身の通信端末装置の使用環境を特定する使用環境特定部と、上記設定情報記憶部に格納された設定情報の中から、上記使用環境特定部によって特定された使用環境に対応する設定情報を特定する設定情報特定部と、上記設定情報特定部によって特定された設定情報に基づいて自身の通信端末装置の設定を行う設定部とを備えていることを特徴とする。
【００４９】
このように、通信端末装置に、上述した設定情報提供サーバの構成内容を含めても、通信端末装置の使用環境に応じた設定を自動的に行うことが可能になる。
【００５０】
また、上記課題を解決するために、本発明に係るさらに別の設定方法は、通信端末装置に対して設定を行うための設定方法であって、上記通信端末装置が、通信端末装置の識別情報と通信端末装置の所属との対応関係を把握している端末所属情報提供サーバ装置に対して識別情報を送信する識別情報送信ステップと、上記端末所属情報提供サーバ装置が、上記識別情報送信ステップにおいて送信された識別情報を受信する識別情報受信ステップと、上記端末所属情報提供サーバ装置が、上記識別情報受信ステップにおいて受信した識別情報に対応する、通信端末装置の所属を示す所属情報を特定する所属情報特定ステップと、上記端末所属情報提供サーバ装置が、上記所属情報特定ステップにおいて特定した所属情報を上記通信端末装置に返信する所属情報送信ステップと、上記通信端末装置が、上記所属情報送信ステップにおいて返信された所属情報を受信する所属情報受信ステップと、上記通信端末装置が、上記所属情報受信ステップにおいて受信した所属情報に基づいて、自身の通信端末装置の使用環境を特定する使用環境特定ステップと、上記通信端末装置が、通信端末装置の使用環境を示す使用環境情報に対応付けて記憶部に格納された設定情報の中から、上記使用環境特定ステップにおいて特定した使用環境に対応する設定情報を特定する設定情報特定ステップと、上記通信端末装置が、上記設定情報特定ステップにおいて特定した設定情報に基づいて自身の通信端末装置の設定を行う設定ステップとを含んでいることを特徴とする。
【００５１】
この構成でも、通信端末装置の使用環境に応じた設定を自動的に行うことが可能になる。
【００５２】
ところで、上記通信端末装置、設定情報提供サーバ装置、及び環境情報提供サーバ装置は、ハードウェアで実現してもよいし、プログラムをコンピュータに実行させることによって実現してもよい。具体的には、本発明に係るプログラムは、上記の各装置の各部としてコンピュータを動作させるプログラムであり、本発明に係る記録媒体には、当該プログラムが記録されている。
【００５３】
これらのプログラムがコンピュータによって実行されると、当該コンピュータは、上記各装置として動作する。したがって、上記各装置と同様に、通信端末装置の使用環境に応じた設定を自動的に行うことが可能になる。
【発明の効果】
【００５４】
以上のように、本発明では、上述した何れかの装置が、通信端末装置の識別情報に基づいて通信端末装置の使用環境を特定するとともに、この使用環境に対応する設定情報を、設定情報記憶部に格納された複数の設定情報の中から特定し、そして、通信端末装置が、特定された設定情報に基づいて自身の設定を行う構成となっている。従って、上述したように、通信端末装置の使用環境に応じた設定を自動的に行うことが可能になるという効果を奏する。
【発明を実施するための最良の形態】
【００５５】
〔実施形態１〕
本発明に係る通信端末装置の設定システムの一実施形態について図２から図１０に基づいて説明すると以下の通りである。
【００５６】
（設定システムの構成）
図２は、本実施形態の通信端末装置の設定システム（以下、単に「本設定システム」という）の構成を示すブロック図である。図２に示すように、本実施形態の設定システムには、複数の通信端末１０ａ・１０ｂ・１０ｃ、設定情報提供サーバ２０、端末所属情報提供サーバ３０、端末環境情報設定装置４０が含まれている。
【００５７】
通信端末１０ａ・１０ｂ・１０ｃは、例えば、ＴＣＰ／ＩＰなどの通信プロトコルに基づいたコンピュータネットワークが利用可能な通信端末装置や、電話回線（公衆回線網）を用いて通話機能やファクシミリ機能が利用可能な電話機・ファクシミリ装置などである。なお、通信端末１０ａ・１０ｂ・１０ｃは、通信可能なものであれば用途は特に限定されない。
【００５８】
設定情報提供サーバ２０は、通信端末１０ａ・１０ｂ・１０ｃに対して、使用環境に合わせた設定情報を提供するためのものである。設定情報提供サーバ２０には、通信端末１０ａ・１０ｂ・１０ｃや端末所属情報提供サーバ３０、端末環境情報設定装置４０との間で通信可能なコンピュータを用いることができる。
【００５９】
端末所属情報提供サーバ３０は、設定情報提供サーバ２０から通信端末装置の識別情報を受信するとともに、受信した識別情報に対応する通信端末装置の所属情報を設定情報提供サーバへ返信するものである。端末所属情報提供サーバ３０には、設定情報提供サーバ２０との間で通信可能なコンピュータを用いることができる。
【００６０】
なお、端末所属情報提供サーバ３０は、自前で構築してもよいが、一般公開されているデータサーバを利用することもできる。例えば、識別情報として電話番号を用いる場合は、端末所属情報提供サーバ３０として一般公開されている電話帳サーバを利用することができる。電話帳サーバには、電話番号やそれに対応する加入者の所属（会社名など）などが登録されている。この電話帳サーバに電話番号を送信して問い合わせることにより、所属情報を入手することができる。
【００６１】
また、識別情報がＩＰアドレスの場合、ＩＰアドレスを管理している組織（日本の場合はＪＰＮＩＣなど）に対してＩＰアドレスを用いてＷＨＯＩＳで問い合わせれば、ＩＰアドレスに対応する所属（組織名）を取得することができる。同様に、識別情報がメールアドレスの場合でも、メールアドレスの後半のドメイン名を用いて問い合わせることにより、ドメイン名に対応する所属（組織名）を取得することができる。
【００６２】
このように一般公開されているデータサーバを利用すれば、システム構築に要するリソースを低減させることができる。
【００６３】
端末環境情報設定装置４０は、設定情報提供サーバ２０の後述する環境情報データベースに格納される、通信端末装置の識別情報と使用環境情報との組を設定情報提供サーバ２０に対して送信するものである。端末環境情報設定装置４０には、設定情報提供サーバ２０との間で通信が可能なコンピュータを用いることができる。
【００６４】
なお、本設定システムは、通信端末が１台のみ含まれている構成であってもよい。また、本設定システムに、設定情報提供サーバ２０、端末所属情報提供サーバ３０、端末環境情報設定装置４０の何れか又は全部が複数台含まれ、分散処理が行われていてもよい。
【００６５】
図３は、通信端末１０ａの機能構成を示すブロック図である。通信端末１０ａは、図３に示すように、記憶部１１、送信ユニット１２、受信ユニット１３、入力ユニット１４、コマンド解析部１５、設定部１６、ブラウザ部１７、及び表示制御ユニット１８を備えている。
【００６６】
記憶部１１は、通信端末１０ａの動作に必要な様々な情報を格納するものであり、例えば、読み書き可能なＲＡＭなどの記憶素子やハードディスクドライブなどの記憶装置によって構成されている。記憶部１１に格納されるデータとしては、識別情報１１ａや、省電力設定情報１１ｂ・メニュー画面構成情報１１ｃなどの設定情報が挙げられる。
【００６７】
識別情報１１ａは、通信端末１０ａを識別するための情報である。例えば、通信端末１０ａがＴＣＰ／ＩＰネットワークを利用できる場合は、通信端末１０ａに固有のＩＰアドレスや、通信端末１０ａのユーザに固有の電子メールアドレスが識別情報１１ａに相当する。また、通信端末１０ａが公衆回線網を介した通話機能やファクシミリ機能を利用できる場合は、通信端末１０ａに割り当てられた電話番号が識別情報１１ａに相当する。なお、本明細書では、ファクシミリ番号も「電話番号」として統一的に扱うこととする。識別情報１１ａは、ユーザなどによって通信端末１０ａに設定され、記憶部１１に格納される。
【００６８】
省電力設定情報１１ｂやメニュー画面構成情報１１ｃは、通信端末１０ａの動作に関与する設定情報である。省電力設定情報１１ｂの設定内容の一例を図１６の設定番号１〜３の行に示す。省電力設定情報１１ｂは、通信端末１０ａが待機モードや電源オフモードなどに入るまでのアイドル時間の情報や、通信端末１０ａが待機モードや電源オフモードなどに入ったり、待機モードや電源オフモードを解除して通常モードに復帰したりする時刻の情報を含んでいる。この省電力設定情報１１ｂにより、例えば、アイドル時間が所望の値になったときに通信端末１０ａを待機モードに移行させたり、所定の時刻が到来したときに通信端末１０ａを待機モードに移行させたりすることができる。
【００６９】
メニュー画面構成情報１１ｃは、通信端末１０ａの設定を変更するためのメニュー画面の構成情報である。メニュー画面構成情報１１ｃの設定内容の一例を図１６の設定番号４，５の行に示す。メニュー画面構成情報１１ｃのデータ形式は特に限定されないが、例えば、Ｗｏｒｌｄ  Ｗｉｄｅ  Ｗｅｂなどで用いられているＨｙｐｅｒ  Ｔｅｘｔ  Ｍａｒｋ−ｕｐ  Ｌａｎｇｕａｇｅ（以下「ＨＴＭＬ」という）によって記述したデータであってもよい。これにより、階層構造を持つメニュー画面を容易に作成することが可能になる。このメニュー画面構成情報１１ｃを書き換えることによって、通信端末１０ａのメニュー画面のレイアウトや表示項目を自由に登録・変更することができる。
【００７０】
送信ユニット１２及び受信ユニット１３は、設定情報提供サーバ２０を含む他の通信機器との間で情報の送受信を行うためのインターフェースである。送信ユニット１２及び受信ユニット１３が利用する通信プロトコルとしては、例えばＴＣＰ／ＩＰなどが挙げられる。また、送信ユニット１２及び受信ユニット１３が利用する物理媒体としては、イーサネット（登録商標）などの通信専用媒体を用いることができる。また、通信端末１０ａがファクシミリ機能を有している場合は、電話回線を用いたダイアルアップ通信を利用してもよい。
【００７１】
入力ユニット１４は、ユーザなどから様々な指示を受け取るためのインターフェースであり、例えば、タッチパネルやキー（ボタン）、ポインティングデバイスなどによって構成される。入力ユニット１４を介して受け取る指示情報としては、例えば、（１）通信端末１０ａの設定を自動的に実行する自動設定指示情報や、（２）通信端末１０ａの設定情報を設定情報提供サーバ２０にバックアップするバックアップ指示情報、（３）通信端末１０ａを他の通信端末に置き換えた際に設定の引継ぎを行うための引継ぎ指示情報、（４）通信端末１０ａの設定情報を変更するための設定情報変更指示情報、そして、（５）通信端末１０ａ本来の様々な機能を実行させるための指示情報などが含まれる。
【００７２】
コマンド解析部１５は、入力ユニット１４が受け取った指示がどのようなものであるかを解析し、解析した結果に基づいて様々な処理を実行するためのものである。コマンド解析部１５の詳細については後述する。
【００７３】
設定部１６は、記憶部１１に設定情報、すなわち省電力設定情報１１ｂやメニュー画面構成情報１１ｃを格納するものである。設定部１６は、入力ユニット１４がユーザから受け取った設定情報変更指示や、受信ユニット１３が設定情報提供サーバ２０から受信した設定情報に基づいて、記憶部１１に設定情報を格納したり、既に記憶部１１に設定情報が格納されている場合はこれを置き換えたりする。
【００７４】
ブラウザ部１７は、記憶部１１に格納されたメニュー画面構成情報を読み取り、このメニュー画面構成情報に基づいた画像データを作成し、表示制御ユニット１８に書き込む。例えば、メニュー画面構成情報がＨＴＭＬで記述されている場合は、通常のＷＥＢブラウザのように、ＨＴＭＬで記述されたテキストデータを画像データに変換する。なお、ブラウザ部１７によって作成された画像データは、通信端末１０ａのメニュー画面として表示装置１９に表示される。
【００７５】
表示制御ユニット１８は、表示装置１９を制御することにより、ブラウザ部１７によって書き込まれた画像データに対応する画像を表示装置１９に表示させるインターフェースである。具体的には、表示制御ユニット１８は、画像データが書き込まれるＶＲＡＭ（Ｖｉｄｅｏ  ＲＡＭ）を備えるとともに、ＶＲＡＭに書き込まれた画像データを表示装置１９が表示可能な画像信号に変換し、表示装置１９へ出力する。
【００７６】
表示装置１９は、表示制御ユニット１８から入力された画像信号に基づいて画像を表示するものである。表示装置１９としては、例えば、ＣＲＴ（Ｃａｔｈｏｄｅ  Ｒａｙ  Ｔｕｂｅ）ディスプレイや、液晶ディスプレイなどを用いることができる。なお、表示装置１９は、通信端末１０ａと一体的に形成されていてもよいし、別体となっていてもよい。また、表示装置１９がタッチパネルによって構成され、入力ユニット１４と一体となっていてもよい。
【００７７】
以上が通信端末１０ａの構成の概要であるが、通信端末１０ｂ・１０ｃについても通信端末１０ａと同様であるものとする。
【００７８】
次に、端末所属情報提供サーバ３０の構成について説明する。図５は、端末所属情報提供サーバ３０の機能構成を示すブロック図である。端末所属情報提供サーバ３０は、図５に示すように、記憶部３１、送信ユニット３２、受信ユニット３３、及び検索部３４を備えている。
【００７９】
記憶部３１は、様々な情報を格納するものであり、例えば、読み書き可能なＲＡＭなどの記憶素子やハードディスクドライブなどの記憶装置によって構成されている。記憶部３１に格納されるデータとしては、端末所属情報データベース３１ａが挙げられる。
【００８０】
端末所属情報データベース３１ａには、通信端末１０ａ・１０ｂ・１０ｃの識別情報（例えば、電話番号、ＩＰアドレス、或いは電子メールアドレス）と所属情報とを対応付けて格納している。通信端末の電話番号と所属情報とを対応付けて格納した端末所属情報データベース３１ａの一例を図１３に示す。
【００８１】
送信ユニット３２及び受信ユニット３３は、設定情報提供サーバ２０を含む他の通信機器との間で情報の送受信を行うためのものであり、通信端末１０ａの送信ユニット１２及び受信ユニット１３と同様であるので詳細な説明を省略する。
【００８２】
検索部３４は、設定情報提供サーバ２０から受信した通信端末１０ａ・１０ｂ・１０ｃの識別情報に対応する所属情報を、端末所属情報データベース３１ａの中から検索し、検索した所属情報を設定情報提供サーバ２０へ返信するものである。
【００８３】
次に、設定情報提供サーバ２０の構成について説明する。図４は、設定情報提供サーバ２０の機能構成を示すブロック図である。設定情報提供サーバ２０は、図４に示すように、記憶部２１、送信ユニット２２、受信ユニット２３、コマンド解析部２４、使用環境特定部２５、設定情報特定部２６、及び引継ぎ用設定情報特定部２７を備えている。
【００８４】
記憶部２１は、様々な情報を格納するものであり、例えば、読み書き可能なＲＡＭなどの記憶素子やハードディスクドライブなどの記憶装置によって構成されている。記憶部２１に格納されるデータとしては、環境情報データベース２１ａや設定情報データベース２１ｂ、設定情報バックアップ２１ｃが挙げられる。
【００８５】
環境情報データベース２１ａは、上述した通信端末１０ａ・１０ｂ・１０ｃの識別情報と、通信端末の使用環境を示す使用環境情報とを対応付けて格納するデータベースである。使用環境とは、例えば、通信端末１０ａ・１０ｂ・１０ｃが設置される環境に関する情報であり、一例として、図書館・コンビニエンスストア・学校・設計事務所・デザイン事務所などの設置場所を特定する情報が挙げられる。
【００８６】
なお、環境情報データベース２１ａに格納される各情報は、端末環境情報設定装置４０から送信される。すなわち、端末環境情報設定装置４０によって、環境情報データベース２１ａに環境情報を登録したり、既に登録された環境情報を変更したりすることができる。
【００８７】
設定情報データベース２１ｂは、通信端末１０ａ・１０ｂ・１０ｃの使用環境を示す使用環境情報と、通信端末１０ａ・１０ｂ・１０ｃの設定情報とを対応付けて格納するデータベースである。設定情報データベース２１ｂの情報は、工場出荷時に予め登録しておくとともに、ユーザが適宜新しい情報を登録したり、登録された情報を変更したりすることができるようになっていることが好ましい。この設定情報データベース２１ｂにより、通信端末の使用環境に適した設定情報を得ることができる。設定情報データベース２１ｂの一例を図１５に示す。なお、図１５の各設定番号に対応する設定内容は、図１６に示すようになっている。
【００８８】
設定情報バックアップ２１ｃは、通信端末１０ａ・１０ｂ・１０ｃから受信した設定情報や、設定情報特定部２６によって特定された設定情報をバックアップしたものであり、バックアップされた設定情報には、通信端末装置の識別情報が対応付けられている。この設定情報バックアップ２１ｃは、通信端末１０ａ・１０ｂ・１０ｃの何れかを新たな通信端末に置き換えた際に、設定情報の引継ぎを行うために用いられる。
【００８９】
送信ユニット２２及び受信ユニット２３は、通信端末１０ａ・１０ｂ・１０ｃや端末所属情報提供サーバ３０を含む他の通信機器との間で情報の送受信を行うためのものであり、通信端末１０ａの送信ユニット１２及び受信ユニット１３と同様であるので詳細な説明を省略する。
【００９０】
コマンド解析部２４は、受信ユニット２３が受信した様々な情報を解析し、解析した結果に基づいて適切な処理を実行するためのものである。コマンド解析部２４の詳細については後述する。
【００９１】
使用環境特定部２５は、通信端末１０ａ・１０ｂ・１０ｃから受信した識別情報に基づいて、識別情報の送信元となった通信端末装置の使用環境を特定するものである。使用環境特定部２５が通信端末装置の使用環境を特定する方法としては２種類ある。１つ目は、環境情報データベース２１ａから検索する方法である。
【００９２】
環境情報データベース２１ａには識別情報と使用環境情報とが対応付けられて格納されているので、使用環境特定部２５は、受信した識別情報に対応する使用環境情報を環境情報データベース２１ａから検索することによって、識別情報の送信元となった通信端末装置の使用環境を特定することができる。
【００９３】
そして、２つ目の方法は、外部のサーバである端末所属情報提供サーバ３０に問い合わせる方法である。端末所属情報提供サーバ３０は上述したように端末所属情報データベース３１ａを有しており、使用環境特定部２５が、受信した識別情報を送信ユニット２２を介して端末所属情報提供サーバ３０に送信して問い合わせることによって、識別情報に対応する所属情報が返信される。そして、使用環境特定部２５は、返信された所属情報に含まれる特定の文字列を検出することにより、通信端末装置の使用環境を特定することができる。
【００９４】
設定情報特定部２６は、設定情報データベース２１ｂに格納された設定情報の中から、使用環境特定部２５によって特定された使用環境に対応する設定情報を特定し、特定した設定情報を送信ユニット２２を介して通信端末１０ａ・１０ｂ・１０ｃに返信するものである。
【００９５】
引継ぎ用設定情報特定部２７は、受信ユニット２３が通信端末１０ａ・１０ｂ・１０ｃから通信端末装置の識別情報とともに通信端末装置の設定の引継ぎを指定する引継ぎ指定情報を受信すると、受信した識別情報に対応する設定情報を、設定情報バックアップ２１ｃの中から特定するとともに、特定した設定情報を送信ユニット２２を介して通信端末１０ａ・１０ｂ・１０ｃに返信するものである。
【００９６】
最後に、本設定システムに含まれる通信端末１０ａ・１０ｂ・１０ｃ、設定情報提供サーバ２０、及び端末所属情報提供サーバ３０の各部は、ハードウェアロジックによって構成してもよいし、次のようにＣＰＵを用いてソフトウェアによって実現してもよい。
【００９７】
すなわち、上記の各装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである、各装置の制御プログラムのプログラムコード（実行形式プログラム、中間コードプログラム、ソースプログラム）をコンピュータで読み取り可能に記録した記録媒体を、上記の各装置に供給し、そのコンピュータ（またはＣＰＵやＭＰＵ）が記録媒体に記録されているプログラムコードを読み出し実行することによっても、達成可能である。
【００９８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９９】
また、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１００】
（１．通信端末装置の自動設定処理）
自動設定処理時における本設定システムの動作について説明する。図６は、本設定システムにおいて用いられている設定方法の処理工程を示すフロー図である。
【０１０１】
ここでは、通信端末１０ａに対して自動設定処理を行うものとする。
【０１０２】
まず、通信端末１０ａの入力ユニット１４がユーザからの指示情報を受け取る。受け取った指示情報はコマンド解析部１５に入力され、コマンド解析部１５がどのような指示情報を受け取ったかを判定する（判定ステップ）。ここで、受け取った指示が設定を自動的に行う指示情報である場合、コマンド解析部１５は、記憶部１１から自身の通信端末装置の識別情報を取得する（Ｓ１１：識別情報取得ステップ）。
【０１０３】
そして、コマンド解析部１５は、取得した識別情報を、自動設定を指定する自動設定指定情報とともに、送信ユニット１２を介して設定情報提供サーバ２０に送信する（Ｓ１２：識別情報送信ステップ）。すなわち、このステップにおいて、コマンド解析部１５は、識別情報送信部として機能する。
【０１０４】
次に、設定情報提供サーバ２０の受信ユニット２３が、通信端末１０ａから送信された識別情報を自動設定指定情報とともに受信する（Ｓ１３：識別情報受信ステップ）。受信ユニット２３は、受信した識別情報を自動設定指定情報とともにコマンド解析部２４に入力する。コマンド解析部２４は、入力された指定情報がどのような指定情報であるかを判定する（判定ステップ）。入力された指定情報が自動設定指定情報である場合、入力された識別情報は、コマンド解析部２４によって使用環境特定部２５に入力される。
【０１０５】
使用環境特定部２５は、入力された識別情報に基づいて、通信端末１０ａの使用環境を特定する（Ｓ１４：使用環境特定ステップ）。なお、このステップの詳細については後述する。特定された使用環境を示す使用環境情報は、使用環境特定部２５によって設定情報特定部２６に入力される。
【０１０６】
設定情報特定部２６は、記憶部２１に格納された設定情報データベース２１ｂを参照して、入力された使用環境に対応する設定情報を特定する（Ｓ１５：設定情報特定ステップ）。すなわち、設定情報特定部２６は、入力された使用環境に対応する設定情報を、設定情報データベース２１ｂの中から検索する。そして、設定情報特定部２６は、検索した設定情報を、送信ユニット２２を介して通信端末１０ａに返信する（Ｓ１６：設定情報送信ステップ）。
【０１０７】
これと前後して、設定情報特定部２６は、検索した設定情報を識別情報と対応付けて設定情報バックアップ２１ｃとして記憶部２１に格納する（Ｓ１９：設定情報バックアップステップ）。これにより、記憶部２１には、通信端末装置の識別情報に対応付けられた設定情報が設定情報バックアップ２１ｃとして蓄積されていくことになる。
【０１０８】
一方、通信端末１０ａの受信ユニット１３は、設定情報提供サーバ２０から送信された設定情報を受信する（Ｓ１７：設定情報受信ステップ）。受信した設定情報は、設定部１６に入力される。
【０１０９】
設定部１６は、受信ユニット１３を介して設定情報提供サーバ２０から受信した設定情報に基づいて、自身の通信端末装置の設定を行う（Ｓ１８：設定ステップ）。設定情報提供サーバ２０から受信した設定情報が省電力設定に関するものであれば、設定部１６は、設定情報提供サーバ２０から受信した設定情報に基づいて、記憶部１１の省電力設定情報１１ｂを更新する。また、設定情報提供サーバ２０から受信した設定情報がメニュー画面の構成に関するものであれば、設定部１６は、設定情報提供サーバ２０から受信した設定情報に基づいて、記憶部１１のメニュー画面構成情報１１ｃを更新する。これにより、通信端末１０ａの省電力設定や、メニュー画面の構成が変更される。
【０１１０】
ところで、上述した使用環境特定ステップＳ１４には２通りある。まず、第１の方法として、使用環境特定部２５が、記憶部２１に格納された環境情報データベース２１ａから識別情報に対応する使用環境情報を取得する方法である。この場合、予め、環境情報データベース２１ａに該当する識別情報と使用環境情報との組が登録されていれば、環境情報データベース２１ａから使用環境特定部２５が識別情報に対応する使用環境情報を取得することができる。
【０１１１】
また、第２の方法として、使用環境特定部２５が、端末所属情報提供サーバ３０に問い合わせる方法がある。図７は、この処理工程を示すフロー図である。
【０１１２】
まず、設定情報提供サーバ２０の使用環境特定部２５は、通信端末１０ａから受信した識別情報を、送信ユニット２２を介して端末所属情報提供サーバ３０に送信する（Ｓ２１：第２の識別情報送信ステップ）。
【０１１３】
端末所属情報提供サーバ３０の受信ユニット３３は、設定情報提供サーバ２０から送信された識別情報を受信する（Ｓ２２：第２の識別情報受信ステップ）。受信した識別情報は、検索部３４に入力される。
【０１１４】
検索部３４は、記憶部３１に格納された端末所属情報データベース３１ａの中から、入力された識別情報に対応する所属情報を検索することにより、通信端末１０ａの所属情報を特定する（Ｓ２３：所属情報特定ステップ）。特定された所属情報は送信ユニット３２に送られ、送信ユニット３２が所属情報を設定情報提供サーバ２０に送信する（Ｓ２４：所属情報送信ステップ）。
【０１１５】
そして、設定情報提供サーバ２０の受信ユニット２３が端末所属情報提供サーバ３０から送信された所属情報を受信する（Ｓ２５：所属情報受信ステップ）。受信した所属情報は、使用環境特定部２５に入力される。
【０１１６】
使用環境特定部２５は、入力された所属情報に、特定の文字列（キーワード）が含まれるか否かを調査する。使用環境特定部２５は、例えば図１４に示す、キーワードと使用環境を示す使用環境情報との組が含まれるキーワードリストを持っており、入力された所属情報に、リストに挙げられている何れかのキーワードが含まれていないかどうかを調査する。そして、入力された所属情報に特定のキーワードが含まれていれば、キーワードリストにおいてそのキーワードに対応している使用環境を通信端末１０ａの使用環境とする。
【０１１７】
以上のようにして、使用環境特定部２５は、通信端末１０ａから受信した識別情報に基づいて、通信端末１０ａの使用環境を特定する。なお、使用環境特定部２５は、使用環境を特定するために、上記の第１及び第２の方法を組み合わせてもよい。つまり、まず、第１の方法に従って、識別情報に対応する使用環境の特定を試み、環境情報データベース２１ａに該当する使用環境情報がない場合に、第２の方法に従って識別情報に対応する使用環境を特定してもよい。
【０１１８】
（２．通信端末装置の設定情報バックアップ処理）
次に、設定情報バックアップ処理時における本設定システムの動作について説明する。図８は、本設定システムにおいて用いられている設定方法の処理工程を示すフロー図である。ここでは、通信端末１０ａが、自身の通信端末の設定情報をバックアップするものとする。
【０１１９】
まず、通信端末１０ａの入力ユニット１４がユーザからの指示を受け取る。受け取った指示はコマンド解析部１５に入力され、コマンド解析部１５がどのような指示を受け取ったかを判定する（判定ステップ）。ここで、受け取った指示が設定情報をバックアップするバックアップ指示である場合、コマンド解析部１５は、記憶部１１から自身の通信端末装置の識別情報及び設定情報（省電力設定情報１１ｂ、メニュー画面構成情報）を取得する（Ｓ３１：設定情報取得ステップ）。
【０１２０】
そして、コマンド解析部１５は、取得した識別情報及び設定情報を、バックアップを指定するバックアップ指定情報とともに、送信ユニット１２を介して設定情報提供サーバ２０に送信する（Ｓ３２:バックアップ情報送信ステップ）。すなわち、このステップにおいて、コマンド解析部１５は、バックアップ情報送信部として機能する。
【０１２１】
次に、設定情報提供サーバ２０の受信ユニット２３は、通信端末１０ａから送信された識別情報及び設定情報をバックアップ指定情報とともに受信する（Ｓ３３：バックアップ情報受信ステップ）。受信ユニット２３は、受信した識別情報及び設定情報をバックアップ指定情報とともにコマンド解析部２４に入力する。
【０１２２】
コマンド解析部２４は、入力された指定情報がどのような指定情報であるかを判定する（判定ステップ）。ここで、指定情報がバックアップ指定情報である場合、コマンド解析部２４は、入力された設定情報を識別情報と対応付けて、記憶部２１に設定情報バックアップ２１ｃとして格納する（Ｓ３４：バックアップ情報格納ステップ）。すなわち、このステップにおいて、コマンド解析部２４はバックアップ情報格納部として機能する。
【０１２３】
その後、コマンド解析部２４は、送信ユニット２２を介して通信端末１０ａへバックアップの完了を通知し（Ｓ３５）、通信端末１０ａがこの通知を受け取って（Ｓ３６）処理が終了する。
【０１２４】
（３．通信端末装置の設定引継ぎ処理）
次に、設定の引継ぎ処理時における本設定システムの動作について説明する。図９は、本設定システムにおいて用いられている設定方法の処理工程を示すフロー図である。ここでは、通信端末１０ａが新しい端末に置き換えられ、置き換える前の端末から置き換えた後の端末へと設定情報を引き継ぐこととする。
【０１２５】
まず、通信端末１０ａの入力ユニット１４がユーザからの指示を受け取る。受け取った指示はコマンド解析部１５に入力され、コマンド解析部１５がどのような指示を受け取ったかを判定する（判定ステップ）。ここで、受け取った指示が設定の引継ぎを行う引継ぎ指示である場合、コマンド解析部１５は、記憶部１１から自身の通信端末装置の識別情報を取得する（Ｓ４１：第２識別情報取得ステップ）。
【０１２６】
そして、コマンド解析部１５は、取得した識別情報を、引継ぎを指定する引継ぎ指定情報とともに、送信ユニット１２を介して設定情報提供サーバ２０に送信する（Ｓ４２：引継ぎ指示ステップ）。すなわち、このステップにおいて、コマンド解析部１５は引継ぎ指示部として機能する。
【０１２７】
次に、設定情報提供サーバ２０の受信ユニット２３が、通信端末１０ａから送信された識別情報を引継ぎ指定情報とともに受信する（Ｓ４３：引継ぎ指示受信ステップ）。受信ユニット２３は、受信した識別情報を引継ぎ指定情報とともにコマンド解析部２４に入力する。コマンド解析部２４は、入力された指定情報がどのような指定情報であるかを判定する（判定ステップ）。入力された指定情報が引継ぎ指定情報である場合、入力された識別情報は、コマンド解析部２４によって引継ぎ用設定情報特定部２７に入力される。
【０１２８】
そして、引継ぎ用設定情報特定部２７は、記憶部２１に格納された設定情報バックアップ２１ｃの中から、入力された識別情報に対応する設定情報を特定する（Ｓ４４：引継ぎ用設定情報特定ステップ）。特定された設定情報は、引継ぎ用設定情報特定部２７によって、送信ユニット２２を介して通信端末１０ａに返信される（Ｓ４５：引継ぎ用設定情報送信ステップ）。
【０１２９】
一方、通信端末１０ａの受信ユニット１３は、設定情報提供サーバ２０から送信された設定情報を受信する（Ｓ４７：引継ぎ用設定情報受信ステップ）。受信した設定情報は、設定部１６に入力される。
【０１３０】
設定部１６は、受信ユニット１３を介して設定情報提供サーバ２０から受信した設定情報に基づいて、自身の通信端末装置の設定を行う（Ｓ４８：引継ぎ設定ステップ）。なお、このステップは、上述した設定ステップＳ１８と同様である。そして処理が終了する。
【０１３１】
（４．環境情報データベースの登録処理）
次に、環境情報データベースの登録処理時における本設定システムの動作について説明する。図１０は、本設定システムにおいて用いられている設定方法の処理工程を示すフロー図である。
【０１３２】
まず、端末環境情報設定装置４０は、図示しない入力部などにより、ユーザから、通信端末の識別情報とそれに対応する使用環境情報とを取得する（Ｓ５１：使用環境情報取得ステップ）。そして、端末環境情報設定装置４０は、取得した識別情報と使用環境情報との組を、登録指定情報とともに設定情報提供サーバ２０へ送信する（Ｓ５２：使用環境情報送信ステップ）。
【０１３３】
設定情報提供サーバ２０の受信ユニット２３は、端末環境情報設定装置４０から識別情報と使用環境情報との組を登録指定情報とともに受信し（Ｓ５３：使用環境情報受信ステップ）、受信した各情報をコマンド解析部２４に入力する。コマンド解析部２４は、入力された指定情報がどのような指定情報であるかを判定する（判定ステップ）。入力された指定情報が登録指定情報である場合、コマンド解析部２４は、入力された使用環境情報を、識別情報に対応付けて記憶部２１の環境情報データベース２１ａに格納する（Ｓ５４使用環境情報登録ステップ）。すなわち、このステップにおいて、コマンド解析部２４は、使用環境情報登録部として機能する。そして処理が終了する。
【０１３４】
〔実施例〕
以下では、上述した通信端末としてファクシミリ機能を有する複合機、また、識別情報として電話番号が用いられ、この電話番号に基づいて複合機の設定を自動的に行う設定システムを図１及び図１１から図１９を用いて例示する。
【０１３５】
（構成）
図１は、本実施例における設定システムの構成を示す図である。図１に示すように、本実施例の設定システムは、上述した通信端末に相当する複合機１０ａ〜１０ｄ、設定情報提供サーバ２０、及び所属情報提供サーバに相当する電話帳サーバ３０を含んでいる。以下では、上述した実施形態と異なる構成や説明しなかった構成のみについて説明し、実施形態と同様の構成については説明しない。
【０１３６】
まず、複合機１０ａの構成について説明する。なお、残りの複合機１０ｂ〜１０ｄも、基本的に複合機１０ａと同様の構成であるものとする。本実施例における複合機１０ａは、プリント機能、コピー機能、及びファクシミリ機能等を有したデジタル複合機である。以下では、上述した実施形態では説明されていない、複合機１０ａに特有の構成（すなわちプリント機能、コピー機能、及びファクシミリ機能を実現するための構成）について主に説明する。
【０１３７】
図１１は、本実施例における複合機１０ａの構造を示す正面断面図である。複合機１０ａは、画像読取ユニット２００、画像形成ユニット３００、給紙ユニット４００、及びコンピュータ１８０から構成されている。
【０１３８】
画像読取ユニット２００は、自動原稿搬送装置（ＡＤＦ:Automatic Document Feeder）２０１、第１原稿台２０２、第２原稿台２０３、第１ミラーベース２０４、第２ミラーベース２０５、レンズ２０６及び固体撮像素子（ＣＣＤ:Charge Coupled Device）２０７を備えている。
【０１３９】
ＡＤＦ２０１は、原稿トレイ２１１から第２原稿台２０３を経由して排出トレイ２１２に至る間に原稿を１枚ずつ搬送する。ＡＤＦ２０１は、第１原稿台２０２の上面を開閉自在に被覆するように、背面側を支点に回動自在にされている。前面側が上方に移動するようにＡＤＦ２０１を回動させて第１原稿台２０２の上面を露出させることにより、手動操作によって第１原稿台２０２に原稿を載置することができる。
【０１４０】
第１原稿台２０２及び第２原稿台２０３は、ともに硬質ガラス板によって構成されている。
【０１４１】
第１ミラーベース２０４及び第２ミラーベース２０５は、第１原稿台２０２及び第２原稿台２０３の下方において水平方向に移動自在にされている。第２ミラーベース２０５の移動速度は、第１ミラーベース２０４の移動速度の１／２にされている。第１ミラーベース２０４は、光源及び第１ミラーを搭載している。第２ミラーベース２０５は、第２ミラー及び第３ミラーを搭載している。
【０１４２】
ＡＤＦ２０１によって搬送される原稿の画像を読み取る際には、第１ミラーベース２０４は、第２原稿台２０３の下方に停止している。光源の光は、第２原稿台２０３上を通過する原稿の画像面に向けて照射され、原稿の画像面における反射光が第１ミラーによって第２ミラーベース２０５に向けて反射される。
【０１４３】
第１原稿台２０２に載置された原稿の画像を読み取る際には、第１ミラーベース２０４及び第２ミラーベース２０５は、第１原稿台２０２の下方を水平方向に移動する。光源の光は、第１原稿台２０２上に載置された原稿の画像面に向けて照射され、原稿の画像面における反射光が第１ミラーによって第２ミラーベース２０５に向けて反射される。
【０１４４】
ＡＤＦ２０１を用いるか否かに拘らず、原稿の画像面における反射光は、光路長を一定にして、第２ミラー及び第３ミラーによってレンズ２０６を経由してＣＣＤ２０７に入射する。
【０１４５】
ＣＣＤ２０７は、原稿の画像面における反射光の光量に応じた電気信号を出力する。この電気信号は、画像形成ユニット３００に画像データとして入力される。
【０１４６】
画像形成ユニット３００は、画像形成部１３０を構成する感光体ドラム１３１、帯電器１３２、露光装置１３３、現像装置１３４、転写装置１３５、クリーナ１３６及び定着装置１３７を備えている。
【０１４７】
感光体ドラム１３１は、表面に感光層を備えており、矢印方向に回転する。帯電器１３２は、感光体ドラム１３１の表面を所定の電位に均一に帯電させる。帯電器１３２は、チャージャによる非接触方式、又は、ローラ若しくはブラシによる接触方式の何れを用いてもよい。
【０１４８】
露光装置１３３は、感光体ドラム１３１の表面に画像データに基づく光を照射する。これによって、感光体ドラム１３１の表面には、感光層における光導電作用によって静電潜像が形成される。露光装置１３３は、画像データに基づいて変調されたレーザ光をポリゴンミラーを介して感光体ドラム１３１の軸方向に走査する。これに代えて、ＥＬやＬＥＤ等の発光素子をアレイ状に配置した露光装置を用いることもできる。
【０１４９】
現像装置１３４は、感光体ドラム１３１の表面にトナー（現像剤）を供給し、静電潜像をトナー像に可視像化する。
【０１５０】
転写装置１３５は、転写ベルト、転写ローラ、及びその他の複数のローラを備えている。転写ベルトは、感光体ドラム１３１の下方において複数のローラ間にループ状に張架されており、１×１０９〜１×１０13Ω・ｃｍ程度の抵抗値を有する。転写ベルトのループ状の移動経路の内側には、転写ベルトを挟んで感光体ドラム１３１に圧接する転写ローラが備えられている。転写ローラには、所定の転写電圧が印加され、転写ベルトと感光体ドラム１３１との間を通過する用紙に、感光体ドラム１３１が担持するトナー像が転写される。
【０１５１】
クリーナ１３６は、用紙に対するトナー像の転写を終えた感光体ドラム１３１の表面から、残留しているトナーを除去する。
【０１５２】
定着装置１３７は、加熱ローラ及び加圧ローラを備えている。加熱ローラは、トナーを溶融可能な温度に内部のヒータによって加熱される。加圧ローラは、加熱ローラに所定の圧力で圧接する。定着装置１３７は、加熱ローラと加圧ローラとの間を通過する用紙を加熱及び加圧することにより、トナー像を用紙に堅牢に定着させる。定着装置１３７を通過した用紙は、複合機１０ａの一方の側面に装着された排紙トレイ１３８に排出される。
【０１５３】
給紙ユニット４００は、給紙カセット４０１，４０２，４０３，４０４及び手差しトレイ４０５を備えている。給紙カセット４０１，４０２，４０３，４０４のそれぞれには、同一サイズの複数枚の用紙が収納される。手差しトレイ４０５には、使用頻度の低いサイズや紙質の用紙が載置される。
【０１５４】
給紙ユニット４００は、給紙カセット４０１，４０２，４０３，４０４又は手差しトレイ４０５の何れかから１枚ずつ用紙を給紙する。給紙ユニット４００から給紙された用紙は、用紙搬送路１を経由して画像形成ユニット３００に搬送される。
【０１５５】
コンピュータ１８０は、画像読取ユニット２００、画像形成ユニット３００、及び給紙ユニット４００の各部を制御するためのものである。
【０１５６】
用紙搬送路１０１は、第１搬送路１１１、第２搬送路１１２、第３搬送路１１３、第４搬送路１１４及び第５搬送路１１５を含む。第１搬送路１１１は、給紙ユニット４００から画像形成部１３０を経由して排紙トレイ１３８に至る。
【０１５７】
図１２は、本実施例の複合機１０ａのハードウェア構成を示すブロック図である。上述したように、本実施例における複合機１０ａはＣＰＵ５１１を備えたデジタル複合機であり、このＣＰＵ５１１がＲＯＭ５１３に予め格納された制御プログラムをＲＡＭ５１４上にロードして実行することにより、バス５１２を介して接続されたハードウェアを制御し、全体として複合機として動作させる。
【０１５８】
以下、バス５１２に接続されている各種ハードウェアの構成について説明する。
【０１５９】
操作パネル５１６は、ユーザによる操作を受付ける入力ユニット１４と、ユーザに対して報知すべき情報を表示する表示装置１９とにより構成されている。入力ユニット１４は、機能の切替操作、プリント処理における出力枚数、コピー処理における変倍、ファクシミリ送信処理における送信先等の設定を受付けるために各種操作キー、数値キー等を備えている。表示装置１９は液晶ディスプレイ装置を備えており、複合機１０ａの動作状況、入力ユニット１４から入力された設定値、そして複合機１０ａの各種設定を変更するためのメニュー画面等を表示する。また、表示装置１９の一部はユーザの押下操作により設定の選択を受付けるようにしたタッチパネル方式のソフトウェアキーを備えている。以上のように、本実施例では、上述した図３の入力ユニット１４及び表示装置１９が一体化して操作パネル５１６となっている。
【０１６０】
画像読取ユニット２００は、上述したように、読取り用の原稿に光を照射する光源、ＣＣＤのようなイメージセンサ、ＡＤ変換器等を備えており、所定の読取り位置にセットされた原稿の画像を当該イメージセンサに結像させてアナログ電気信号に変換し、得られたアナログ電気信号をＡＤ変換器によりＡＤ変換する。そして、ＡＤ変換して得られたデジタル信号に対して、原稿読取時の光源の配光特性、イメージセンサの感度ムラ等の補正を施すことによりデジタル形式の画像データを生成する。
【０１６１】
通信ユニット５１８は、ローカルエリアネットワーク等の所定の通信規格に準拠したインタフェースを備えており、外部コンピュータとの通信を可能にするものである。通信ユニット５１８では、接続先のコンピュータからのプリントジョブを受信し、逆に、通知すべき情報を送信する。通信ユニット５１８ではこのような各種データの送受信の制御を行う。なお、この通信ユニット５１８は、上述した図３の送信ユニット１２及び受信ユニット１３に相当する。
【０１６２】
ファクシミリモデム５１９は、他のファクシミリ装置との通信を可能にするための回線終端回路を備えており、公衆電話回線網を介してファクシミリデータの送受信を行うことを可能にする。そのため、ファクシミリモデム５１９は、受信したファクシミリデータを復号するための復号回路、送信すべきファクシミリデータを符号化するための符号化回路を備えている。ファクシミリモデム５１９は、このようなファクシミリデータの送受信、並びに符号化処理及び復号処理を実行する。
【０１６３】
画像メモリ５２０は半導体メモリにより構成されており、画像読取ユニット２００により原稿の画像を読取って生成した画像データ、プリントジョブから展開される画像データ、及びファクシミリデータから展開される画像データを一時的に記憶する。画像メモリ５２０に一時的に記憶された画像データは、ＣＰＵ５１１の指示によりその利用目的に応じた転送先に転送される。すなわち、用紙上に画像形成を行う場合には画像形成ユニット３００に転送され、ファクシミリデータとして送信する場合にはファクシミリモデム５１９に転送され、ファイリング機能を利用して保存する場合にはＨＤＤ５２１に転送される。
【０１６４】
画像形成ユニット３００は、画像メモリ５２０から転送されてきた画像データに基づいて、上述したように電子写真方式によって用紙上に画像形成を行う。
【０１６５】
ＨＤＤ５２３はディスク状の磁気記録媒体を有するハードディスク装置であり、その記憶領域の一部は画像データや設定情報、そして、複合機１０ａに登録された電話番号等を記憶するためのデータエリアとして利用されている。操作パネル５１６を通じて要求を受付けた場合、又は外部コンピュータからの要求を通信ユニット５１８を介して受信した場合、データエリアに記憶された画像データを読出すようにしている。そのため、プリント処理の失敗又は出力部数の不足等のためにプリント処理を再度実行する必要がある場合には、データエリアに記憶された画像データを任意に読出してプリント処理を実行させることができる。
【０１６６】
管理ユニット５２４は、不揮発性の半導体メモリにより構成されており、その記憶領域の一部は、装置の状態に関する情報、操作パネル５１６を通じて受付けた各種の設定等を記憶するシステム管理領域５２４ａ、及び各種設定の履歴を記憶する操作履歴管理領域５２４ｂとして利用されている。
【０１６７】
複合機１０ａ〜１０ｄは、プリント機能、コピー機能、及びファクシミリ機能を実現するために以上のような構成を有しており、そして、設定を自動的に行うために実施形態において説明した構成をさらに有している。
【０１６８】
なお、本実施例では、各複合機１０ａ〜１０ｄの記憶部１１には、各複合機に割り当てられた電話番号（ファクシミリ番号）が識別情報１１ａとして格納されているものとする。各複合機に割り当てられた電話番号は、図１の通りである。そして、複合機１０ａ〜１０ｄは、それぞれ、コンビニエンスストア、学校、設計事務所、デザイン事務所に設置されているものとする。
【０１６９】
設定情報提供サーバ２０は、設定情報データベースとして、図１５に示すデータベースを有しているものとする。そして、電話帳サーバ３０は、端末所属情報データベース３１ａとして、図１３に示すデータベースを有しているものとする。
【０１７０】
（動作）
以下では、複合機１０ａ〜１０ｄの自動設定処理について説明する。
【０１７１】
まず、複合機１０ａに対して設定の自動実行が指示されると、複合機１０ａは、自身の電話番号である「０３−ｘｘ−ｙｙｙｙ」を設定情報提供サーバ２０に送信する（Ｓ１２）。この電話番号を受信した設定情報提供サーバ２０は、受信した電話番号をさらに電話帳サーバ３０に送信し、電話番号に対応する所属情報の問い合わせを行う（Ｓ２１）。
【０１７２】
電話番号「０３−ｘｘ−ｙｙｙｙ」を受信した電話帳サーバ３０の検索部３４は、図１３に示す電話番号データベース（端末所属情報データベース）を参照し、電話番号「０３−ｘｘ−ｙｙｙｙ」に対応する所属が「○○マート」であることを特定する（Ｓ２３）。これにより、複合機１０ａの所属が「○○マート」であることが明らかとなる。そして、電話帳サーバ３０は、特定した所属「○○マート」を文字データとして設定情報提供サーバ２０に返信する（Ｓ２４）。
【０１７３】
所属情報として「○○マート」という文字データを受信した設定情報提供サーバ２０の使用環境特定部２５は、受信した「○○マート」という文字データの中に特定のキーワードが存在するか否かを、図１４に示すキーワードリストを用いて調査する。その結果、「○○マート」の中には、「マート」というキーワードが含まれていることを検出し（Ｓ２６）、「○○マート」がコンビニエンスストアであることを特定する（Ｓ２７）。これにより、複合機１０ａの使用環境がコンビニエンスストアであることが明らかとなる。
【０１７４】
続いて、設定情報特定部２６が図１５に示す設定情報データベースを探索し、コンビニエンスストアに対応する設定情報である設定番号「１」を特定する（Ｓ１５）。この設定番号「１」は、設定情報提供サーバ２０から複合機１０ａに返信され（Ｓ１６・１７）、複合機１０ａの設定部１６が、この設定番号「１」に基づいて、記憶部１１に格納された省電力設定情報１１ｂを、図１６の設定番号１の行に示す設定内容へと変更する（Ｓ１８）。
【０１７５】
その結果、複合機１０ａは、省エネモードへの移行が禁止される。これにより、コピーをすぐに取りたいユーザに対して、２４時間いつでも待たせることなくコピー処理を実行することができるようになり、コンビニエンスストアにふさわしい設定となる。
【０１７６】
また、複合機１０ｂの場合、電話番号「０６−ａａ−ｂｂｂｂ」を受信した電話帳サーバ３０の検索部３４は、図１３に示す端末所属情報データベースを参照し、受信した電話番号「０６−ａａ−ｂｂｂｂ」に対応する所属が「××学校」であることを特定する（Ｓ２３）。
【０１７７】
所属情報として「××学校」という文字データを受信した設定情報提供サーバ２０の使用環境特定部２５は、図１４に示すキーワードリストを用いて「××学校」を調査する。その結果、「××学校」の中には、「校」というキーワードが含まれていることを検出し（Ｓ２６）、「××学校」が学校であることを特定する（Ｓ２７）。
【０１７８】
続いて、設定情報特定部２６が図１５に示す設定情報データベースを探索し、学校に対応する設定情報である設定番号「３」を特定する（Ｓ１５）。複合機１０ｂの設定部１６は、この設定番号「３」に基づいて、記憶部１１に格納された省電力設定情報１１ｂを、図１６の設定番号３の行に示す設定内容へと変更する（Ｓ１８）。
【０１７９】
その結果、複合機１０ｂは、平日の１２時から１３時までと、１６時から１８時までの省エネモードへの移行が禁止されるとともに、休日は全日省エネモードとなる。通常、学校では、平日と休日とでコピー量に差があり、また、平日では休み時間にコピー量が多くなることが予想される。従って、上記のように設定が行われることにより、コピー量の多い時間帯には省エネモードへの移行を禁止し、コピー量の少ない時間帯には省エネモードへ移行することになり、ユーザを待たせることなく、無駄な電力消費を抑制することができるようになる。
【０１８０】
一方、複合機１０ｃ、複合機１０ｄの場合は、使用環境がそれぞれ設計事務所、デザイン事務所であるので、図１６の設定番号４、５の行の設定内容に示されるように、メニュー画面の変更が行われる。
【０１８１】
複合機１０ａ〜１０ｄのメニュー画面は、デフォルトの状態では図１７のようになっている。すなわち、複合機１０ａ〜１０ｄのメニュー画面は階層構造を有しており、最上位画面（初期画面）では、「コピー」、「ＦＡＸ」、「スキャナ」、「特殊設定」という項目が表示されている。この最上位画面で、ユーザが操作パネル５１６により「特殊設定」を選択すると、メニュー画面は一つ下の階層に移行し、「解像度設定」、「色設定」という項目が表示される。ここで、「解像度設定」を選択すると、さらに一つ下の階層に移行し、ＦＡＸやスキャナの解像度を指定する選択項目が表示され、一方、「色設定」を選択すると、別の一つ下の階層に移行し、印刷時の色設定に関する選択項目が表示される。
【０１８２】
なお、上記のメニュー画面は、複数のメニューデータによって規定されている。各メニューデータは、各階層のメニュー画面の構成をＨＴＭＬによって記述したものであり、さらに、階層間の関係をハイパーリンクによって指定している。これらのメニューデータは記憶部１１にメニュー画面構成情報１１ｃとして格納されている。
【０１８３】
このような複合機１０ｃに設定の自動実行が指示されると、設定情報提供サーバ２０の使用環境特定部２５は、複合機１０ｃの使用環境が設計事務所であることを特定する。その結果、設定情報提供サーバ２０の設定情報特定部２６は、設計事務所に好ましい設定に対応する設定番号「４」を特定する。
【０１８４】
設定番号４の設定内容は、図１６に示すように、ＦＡＸやスキャナの解像度の変更を指定する選択項目を最上位のメニュー画面に配置する、というものである。具体的には、設定情報提供サーバ２０の設定情報特定部２６は、図１８に示すメニュー画面に対応するメニューデータ（ＨＴＭＬデータ）を設定情報データベース２１ｂから検索して、複合機１０ｃに送信する。そして、複合機１０ｃの設定部１６は、記憶部１１に格納されたメニューデータを受信したメニューデータで置き換えることによって、メニュー画面の構成が変更される。
【０１８５】
変更後のメニュー画面では、最上位画面において、「コピー」、「ＦＡＸ」、「スキャナ」に加え、デフォルトでは一つ下の階層で表示されていた「解像度設定」という項目が表示される。つまり、設計事務所では、精細な図面を扱う必要があるため、ＦＡＸやスキャナの解像度を頻繁に変更することが考えられるが、「解像度設定」という項目を最上位に配置することにより、迅速に設定の変更ができるようになるのである。
【０１８６】
このように、メニュー画面の構成を規定するＨＴＭＬデータを設定情報として送信することにより、複合機１０ａのメニュー画面を外部から自由自在にカスタマイズすることが可能になる。
【０１８７】
また、複合機１０ｄの場合、設定情報提供サーバ２０の使用環境特定部２５は、複合機１０ｄの使用環境がデザイン事務所であることを特定し、設定情報提供サーバ２０の設定情報特定部２６は、設計事務所に好ましい設定に対応する設定番号「５」を特定する。
【０１８８】
設定番号５の設定内容は、図１６に示すように、印字色の手動調整を指定する選択項目を最上位のメニュー画面に配置する、というものである。具体的には、図１９に示すように、最上位画面において、「コピー」、「ＦＡＸ」、「スキャナ」に加え、デフォルトでは一つ下の階層で表示されていた「色設定」という項目が表示される。
【０１８９】
デザイン事務所では、カラー印刷において色を厳密に調節する必要があるため、色調整を頻繁に行うことが考えられるが、「色設定」という項目を最上位に配置することにより、迅速に設定の変更ができるようになる。
【０１９０】
また、仮に複合機の使用環境が図書館であった場合は、設定番号２が選択され、低速設定が行われることにより、複合機の近傍で読書中／学習中のユーザに対して騒音による迷惑をかけることを防止することができる。
【０１９１】
〔実施形態２〕
以下では、上述した実施形態１の変形形態について図２０及び図２１を用いて説明する。上述した実施形態１では、通信端末装置の使用環境情報と設定情報とを対応付けて格納する設定情報データベース２１ｂと、通信端末の使用環境に基づいて設定情報を特定する設定情報特定部２６とが、設定情報提供サーバ２０に備えられている構成であったが、本発明はこれに限定されず、設定情報データベース２１ｂ及び設定情報特定部２６が通信端末に設けられていてもよい。
【０１９２】
この場合、上述した設定情報提供サーバ２０は、通信端末の設定を行うために用いられる使用環境情報を通信端末に提供する環境情報提供サーバ６２０となる。
【０１９３】
図２０は、本実施形態における環境情報提供サーバ６２０の機能構成を示すブロック図である。なお、以下では、上述した実施形態１と同一の機能を有する機能ブロックについては同一の符号を付し、説明を省略する。
【０１９４】
本実施形態において、環境情報提供サーバ６２０は、使用環境特定部及び設定情報データベースを省略することができる。そして、環境情報提供サーバ６２０は、使用環境特定部２５に代えて、使用環境特定部６２５を有している。
【０１９５】
使用環境特定部６２５は、設定情報提供サーバ２０の使用環境特定部２５と同様にして通信端末の使用環境を特定した後、特定した使用環境に対応する使用環境情報を、送信ユニット２２を介して通信端末に返信するようになっている。
【０１９６】
図２１は、本実施形態における通信端末６１０ａの機能構成を示すブロック図である。本実施形態において、通信端末６１０ａは、さらに設定情報特定部６２６及び設定情報データベース２１ｂを備え、設定部１６の代わりに設定部６１６を有している。
【０１９７】
設定情報特定部６２６は、環境情報提供サーバ６２０から受信ユニット１３を介して自身の通信端末装置の使用環境を示す使用環境情報を受信し、設定情報データベース２１ｂに格納された設定情報の中から、受信した使用環境に対応する設定情報を特定するものとなっている。
【０１９８】
そして、設定部６１６は、設定情報特定部６２６によって特定された設定情報に基づいて自身の通信端末装置の設定を行うものとなっている。
【０１９９】
このような構成であっても、上述した実施形態１と同様の効果を奏することができる。
【０２００】
〔実施形態３〕
以下では、別の変形形態について図２２を用いて説明する。本実施形態では、通信端末装置が、実施形態１の設定情報提供サーバ２０の機能を含んだ構成となっている。
【０２０１】
図２２は、本実施形態における通信端末７１０ａの機能構成を示すブロック図である。本実施形態において、通信端末７１０ａは、さらに使用環境特定部７２５、設定情報特定部７２６、及び設定情報データベース２１ｂを備え、コマンド解析部１５の代わりにコマンド解析部７１５、そして、設定部１６の代わりに設定部７１６を備えている。
【０２０２】
本実施形態において、コマンド解析部７１５は、通信端末の識別情報と所属との対応関係を把握している端末所属情報提供サーバ３０に対して、自身の通信端末の識別情報を送信ユニット１２を介して直接送信して問い合わせる識別情報送信部として機能する。
【０２０３】
また、使用環境特定部７２５は、端末所属情報提供サーバ３０から返信された、自身の通信端末の所属を示す所属情報を受信ユニット１３を介して受信するとともに、受信した所属情報に基づいて、自身の通信端末の使用環境を特定するものである。なお、所属情報から使用環境を特定する方法は、上述した実施形態１と同様である。
【０２０４】
設定情報特定部７２６は、設定情報データベース２１ｂに格納された設定情報の中から、使用環境特定部７２５によって特定された使用環境に対応する設定情報を特定するものである。
【０２０５】
そして、設定部７１６は、設定情報特定部７２６によって特定された設定情報に基づいて自身の通信端末の設定を行うものである。
【０２０６】
本実施形態では、通信端末７１０ａの入力ユニット１４がユーザからの指示情報を受け取ると、受け取った指示情報がコマンド解析部７１５に入力され、コマンド解析部７１５がどのような指示情報を受け取ったかを判定する（判定ステップ）。ここで、受け取った指示が設定の自動的に行う指示情報である場合、コマンド解析部７１５は、記憶部１１から自身の通信端末装置の識別情報を取得する（識別情報取得ステップ）。
【０２０７】
そして、コマンド解析部７１５は、取得した識別情報を、送信ユニット１２を介して端末所属情報提供サーバ３０に送信する（識別情報送信ステップ）。すなわち、このステップにおいて、コマンド解析部７１５は、請求項に記載した識別情報送信部として機能する。
【０２０８】
そして、端末所属情報提供サーバ３０から返信された所属情報を、使用環境特定部７２５が受信ユニット１３を介して受信し、その後は、実施形態１と同様の流れで設定情報が特定され、設定が行われる。
【０２０９】
このような構成であっても、上述した実施形態１と同様の効果を奏することができる。
【０２１０】
なお、本実施形態では説明を省略したが、通信端末７１０ａは、実施形態１の設定情報提供サーバ２０に備えられていた環境情報データベース、設定情報バックアップ、及び引継ぎ用設定情報特定部をさらに備えていてもよい。
【０２１１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２１２】
本発明は、各種設定の変更が可能な通信端末装置に適用することができる。
【図面の簡単な説明】
【０２１３】
【図１】本発明の一実施例を示すものであり、通信端末装置の設定システムの構成を示すブロック図である。
【図２】本発明の一実施形態を示すものであり、通信端末装置の設定システムの構成を示すブロック図である。
【図３】本発明の一実施形態を示すものであり、通信端末装置の機能構成を示すブロック図である。
【図４】本発明の一実施形態を示すものであり、設定情報提供サーバ装置の機能構成を示すブロック図である。
【図５】本発明の一実施形態を示すものであり、所属情報提供サーバの機能構成を示すブロック図である。
【図６】本発明の一実施形態を示すものであり、通信端末装置の自動設定を行う際のシステムの処理工程を示すフロー図である。
【図７】本発明の一実施形態を示すものであり、識別情報から環境情報を特定する際のシステムの処理工程を示すフロー図である。
【図８】本発明の一実施形態を示すものであり、設定情報のバックアップを行う際のシステムの処理工程を示すフロー図である。
【図９】本発明の一実施形態を示すものであり、設定情報の引継ぎを行う際のシステムの処理工程を示すフロー図である。
【図１０】本発明の一実施形態を示すものであり、識別情報と使用環境の対応情報の登録を行う際のシステムの処理工程を示すフロー図である。
【図１１】本発明の一実施例を示すものであり、複合機の概略構造を示す断面図である。
【図１２】本発明の一実施例を示すものであり、複合機のハードウェア構成を示すブロック図である。
【図１３】本発明の一実施例を示すものであり、電話帳サーバに格納された電話番号データベースの登録内容を示す図である。
【図１４】本発明の一実施例を示すものであり、環境情報特定部が所属情報から環境を特定する際に使用するキーワードリストの内容を示す図である。
【図１５】本発明の一実施例を示すものであり、通信端末装置の使用環境と設定情報とを対応付けて格納した設定情報データベースの登録内容を示す図である。
【図１６】本発明の一実施例を示すものであり、各設定番号に相当する設定内容を示す図である。
【図１７】本発明の一実施例を示すものであり、デフォルト状態のメニュー画面の構成を示す図である。
【図１８】本発明の一実施例を示すものであり、設定変更後のメニュー画面の構成を示す図である。
【図１９】本発明の一実施例を示すものであり、設定変更後の別のメニュー画面の構成を示す図である。
【図２０】本発明の他の実施形態を示すものであり、環境情報提供サーバ装置の機能構成を示すブロック図である。
【図２１】本発明の他の実施形態を示すものであり、通信端末装置の機能構成を示すブロック図である。
【図２２】本発明のさらに他の実施形態を示すものであり、通信端末装置の機能構成を示すブロック図である。
【符号の説明】
【０２１４】
１０ａ〜１０ｄ    通信端末、複合機（通信端末装置）
１１  記憶部（メニューデータ記憶部）
１１ａ  識別情報（電話番号）
１１ｃ  メニュー構成情報（メニューデータ）
１２  送信ユニット（通信ユニット）
１３  受信ユニット（通信ユニット）
１５  コマンド解析部（識別情報送信部、引継ぎ指示部）
１６  設定部
１７  ブラウザ部
１９  表示装置
２０  設定情報提供サーバ
２１  記憶部（設定情報記憶部、引継ぎ用設定情報記憶部、端末環境情報記憶部）
２１ａ  環境情報データベース（端末環境情報記憶部）
２１ｂ  設定情報データベース（設定情報記憶部）
２１ｃ  設定情報バックアップ（引継ぎ用設定情報）
２２  送信ユニット（通信ユニット）
２３  受信ユニット（通信ユニット）
２５  使用環境特定部
２６  設定情報特定部
２７  引継ぎ用設定情報特定部
３０  端末所属情報提供サーバ、電話帳サーバ（端末所属情報提供サーバ装置、電話帳サーバ装置）
３１  記憶部（端末所属情報記憶部）
３１ａ  端末所属情報データベース（端末所属情報記憶部）
３２  送信ユニット（通信ユニット）
３３  受信ユニット（通信ユニット）
３４  検索部（端末所属情報検索部）
４０  端末環境情報設定装置
６１０ａ  通信端末（通信端末装置）
６１６  設定部
６２０  環境情報提供サーバ（環境情報提供サーバ装置）
６２５  使用環境特定部
６２６  設定情報特定部
７１０ａ  通信端末（通信端末装置）
７１５  コマンド解析部（識別情報送信部）
７１６  設定部
７２５  使用環境特定部
７２６  設定情報特定部
【図１】
2007219953.tif 000003
【図２】
2007219953.tif 000004
【図３】
2007219953.tif 000005
【図４】
2007219953.tif 000006
【図５】
2007219953.tif 000007
【図６】
2007219953.tif 000008
【図７】
2007219953.tif 000009
【図８】
2007219953.tif 000010
【図９】
2007219953.tif 000011
【図１０】
2007219953.tif 000012
【図１１】
2007219953.tif 000013
【図１２】
2007219953.tif 000014
【図１３】
2007219953.tif 000015
【図１４】
2007219953.tif 000016
【図１５】
2007219953.tif 000017
【図１６】
2007219953.tif 000018
【図１７】
2007219953.tif 000019
【図１８】
2007219953.tif 000020
【図１９】
2007219953.tif 000021
【図２０】
2007219953.tif 000022
【図２１】
2007219953.tif 000023
【図２２】
2007219953.tif 000024